(57)【特許請求の範囲】
【請求項１】
方法において、
それぞれが、ドナーエボルブドノードＢ（ｅＮＢ）と中継器ｅＮＢとの間の複数の無線ベアラのうちの１つに関連する、前記ドナーｅＮＢとの複数の通信トンネルを確立することと、
複数のプロトコルヘッダを含む、ワイヤレスデバイスに関連するパケットを受信することと、
前記複数のプロトコルヘッダのうちの少なくとも１つの１つ以上のパラメータに少なくとも部分的に基づいて、前記複数の通信トンネルから、前記ドナーｅＮＢに対して前記パケットを送信するためのトンネルを選択することとを含む方法。
【請求項２】
前記複数のプロトコルヘッダのうちの少なくとも１つの１つ以上のパラメータは、区別されたサービスコードポイント（ＤＳＣＰ）値であり、前記複数の通信トンネルからトンネルを選択することは、前記トンネルに前記ＤＳＣＰ値を関係付けることに少なくとも部分的に基づいている請求項１記載の方法。
【請求項３】
前記複数の通信トンネルの少なくとも一部分に、ＤＳＣＰ値の範囲をマッピングすることをさらに含む請求項２記載の方法。
【請求項４】
前記複数の通信トンネルの少なくとも一部分に、前記ＤＳＣＰ値の範囲をマッピングすることは、前記複数の通信トンネルの一部分中の各通信トンネルに関連する複数の無線ベアラのうちの１つに関係する、前記ＤＳＣＰ値およびＱｏＳの範囲に関係する、サービス品質（ＱｏＳ）要件に少なくとも部分的に基づいている請求項３記載の方法。
【請求項５】
前記複数の通信トンネルのそれぞれに、サービスデータフロー（ＳＤＦ）を関係付けることをさらに含む請求項１記載の方法。
【請求項６】
前記複数の通信トンネルからトンネルを選択することは、前記複数のプロトコルヘッダのうちの少なくとも１つの１つ以上のパラメータに少なくとも部分的に基づいて、ＳＤＦフィルタにしたがって、前記パケットに対するＳＤＦを決定することを含み、前記ＳＤＦは、前記トンネルに対応する請求項５記載の方法。
【請求項７】
前記複数のプロトコルヘッダのうちの少なくとも１つは、汎用パケット無線サービス（ＧＰＲＳ）トンネリングプロトコル（ＧＴＰ）ヘッダであり、前記パケットに対するＳＤＦを決定することは、ポリシーおよびチャージング制御ルールにしたがって、前記複数のプロトコルヘッダのうちの少なくとも１つから、ダウンリンクトンネルエンドポイント識別子（ＤＬ−ＴＥＩＤ）を取得することと、前記ＤＬ−ＴＥＩＤに少なくとも部分的に基づいて、前記ＳＤＦフィルタにしたがって、前記ＳＤＦを決定することとを含む請求項６記載の方法。
【請求項８】
前記ワイヤレスデバイスと前記中継器ｅＮＢとの間のベアラ確立手順の一部として、前記ＤＬ−ＴＥＩＤを受信することをさらに含む請求項７記載の方法。
【請求項９】
前記複数のプロトコルヘッダのうちの少なくとも１つは、前記パケット中の最も内側のインターネットプロトコル（ＩＰ）ヘッダである請求項６記載の方法。
【請求項１０】
前記ＳＤＦフィルタに対するパラメータとして、前記最も内側のＩＰヘッダの１つ以上のパラメータを受信することと、
前記トンネルに前記１つ以上のパラメータを関係付けることとをさらに含む請求項９記載の方法。
【請求項１１】
前記１つ以上のパラメータは、ユーザデータグラムプロトコル（ＵＤＰ）ポート番号である請求項６記載の方法。
【請求項１２】
前記ワイヤレスデバイスと前記中継器ｅＮＢとの間の無線ベアラの確立の間に、前記ＵＤＰポート番号を受信することと、
前記トンネルに前記ＵＤＰポート番号を関係付けることとをさらに含む請求項１１記載の方法。
【請求項１３】
インターネットプロトコル（ＩＰ）アドレスに関連する接続を通して、アップストリームゲートウェイから、前記複数のプロトコルヘッダを含む異なるパケットを受信することをさらに含み、
前記パケットを受信することは、異なるＩＰアドレスに関連する異なる接続を通して、前記アップストリームゲートウェイから前記パケットを受信することを含む請求項１記載の方法。
【請求項１４】
前記接続を通して前記異なるパケットを受信することに少なくとも部分的に基づいて、前記複数の通信トンネルから、前記異なるパケットを送信するための異なるトンネルを選択することをさらに含む請求項１３記載の方法。
【請求項１５】
装置において、
ドナーエボルブドノードＢ（ｅＮＢ）と中継器ｅＮＢとの間の複数の無線ベアラに関連する、前記ドナーｅＮＢとの複数の通信トンネルを確立するようにと、
複数のプロトコルヘッダを含むパケットを、アップストリームゲートウェイから取得するようにと、
前記複数のプロトコルヘッダのうちの少なくとも１つ中の１つ以上のパラメータに少なくとも部分的に基づいて、前記パケットを送信するための、前記複数の通信トンネルのうちの１つを選択するようにと、
前記複数の通信トンネルのうちの１つを通して前記パケットを送信するように構成されている少なくとも１つのプロセッサと、
前記少なくとも１つのプロセッサに結合されているメモリとを具備する装置。
【請求項１６】
前記複数のプロトコルヘッダのうちの少なくとも１つの１つ以上のパラメータは、区別されたサービスコードポイント（ＤＳＣＰ）値である請求項１５記載の装置。
【請求項１７】
前記少なくとも１つのプロセッサは、前記複数の通信トンネルのうちの少なくとも一部分に、ＤＳＣＰ値の１つ以上の範囲を関係付けるようにさらに構成されている請求項１６記載の装置。
【請求項１８】
前記少なくとも１つのプロセッサは、前記複数の通信トンネルのそれぞれに、複数のサービスデータフロー（ＳＤＦ）のうちの少なくとも１つを関係付けるようにさらに構成されている請求項１５記載の装置。
【請求項１９】
前記少なくとも１つのプロセッサは、ＳＤＦフィルタとともに前記１つ以上のパラメータを処理することに少なくとも部分的に基づいて、前記パケットに対するＳＤＦを決定するようにさらに構成され、前記少なくとも１つのプロセッサは、前記ＳＤＦを決定することに少なくとも部分的に基づいて、前記複数の通信トンネルのうちの１つを選択する請求項１８記載の装置。
【請求項２０】
前記ＳＤＦフィルタは、複数のＳＤＦフィルタパラメータを前記複数の通信トンネルに関係付け、前記少なくとも１つのプロセッサは、前記１つ以上のパラメータを前記複数のＳＤＦフィルタパラメータのうちの一部分に関係付けることにより、前記１つ以上のパラメータを処理する請求項１９記載の装置。
【請求項２１】
前記複数のプロトコルヘッダのうちの少なくとも１つは、汎用パケット無線サービス（ＧＰＲＳ）トンネリングプロトコル（ＧＴＰ）ヘッダであり、前記複数のプロトコルヘッダのうちの少なくとも１つの１つ以上のパラメータは、ダウンリンクトンネルエンドポイント識別子である請求項１９記載の装置。
【請求項２２】
前記複数のプロトコルヘッダのうちの少なくとも１つは、前記パケットの最も内側のインターネットプロトコル（ＩＰ）ヘッダである請求項１９記載の装置。
【請求項２３】
前記複数のプロトコルヘッダのうちの少なくとも１つの１つ以上のパラメータは、ユーザデータグラムプロトコルポート番号である請求項１９記載の装置。
【請求項２４】
前記少なくとも１つのプロセッサは、インターネットプロトコル（ＩＰ）アドレスに関連する接続を通して、前記アップストリームゲートウェイから異なるパケットを取得するようにと、
前記ＩＰアドレスに少なくとも部分的に基づいて、前記複数の通信トンネルから、前記異なるパケットを送信するための異なるトンネルを選択するようにさらに構成されている請求項１５記載の装置。
【請求項２５】
装置において、
ドナーエボルブドノードＢ（ｅＮＢ）と中継器ｅＮＢとの間で確立されている複数の無線ベアラに関連する、前記ドナーｅＮＢとの複数の通信トンネルを初期化する手段と、
複数のプロトコルヘッダを含み、ワイヤレスデバイスに関連するパケットを受信する手段と、
前記複数のプロトコルヘッダのうちの少なくとも１つの１つ以上のパラメータに少なくとも部分的に基づいて、前記複数の通信トンネルから、前記ドナーｅＮＢに対して前記パケットを送信するためのトンネルを決定する手段とを具備する装置。
【請求項２６】
前記複数のプロトコルヘッダのうちの少なくとも１つから、区別されたサービスコードパラメータ（ＤＳＣＰ）値を抽出する手段をさらに具備し、前記複数のプロトコルヘッダのうちの少なくとも１つの１つ以上のパラメータは、前記ＤＳＣＰ値である請求項２５記載の装置。
【請求項２７】
前記トンネルは、サービスデータフロー（ＳＤＦ）である請求項２５記載の装置。
【請求項２８】
前記１つ以上のパラメータから、ダウンリンクトンネルエンドポイント識別子（ＤＬ−ＴＥＩＤ）を決定する手段をさらに具備し、前記トンネルを決定する手段は、前記ＤＬ−ＴＥＩＤに少なくとも部分的に基づいて、前記ＳＤＦを決定し、前記複数のプロトコルヘッダのうちの少なくとも１つは、汎用パケット無線サービス（ＧＰＲＳ）トンネリングプロトコル（ＧＴＰ）ヘッダである請求項２７記載の装置。
【請求項２９】
前記複数のプロトコルヘッダのうちの少なくとも１つは、最も内側のインターネットプロトコル（ＩＰ）ヘッダである請求項２７記載の装置。
【請求項３０】
前記１つ以上のパラメータから、ユーザデータグラムプロトコル（ＵＤＰ）ポート番号を決定する手段をさらに具備し、前記トンネルを決定する手段は、前記ＵＤＰポート番号に少なくとも部分的に基づいて、前記ＳＤＦを決定する請求項２７記載の装置。
【請求項３１】
前記受信する手段は、インターネットプロトコル（ＩＰ）アドレスに関連する接続を通して前記パケットを受信し、異なるＩＰアドレスに関連する異なる接続を通して異なるパケットをさらに受信し、前記トンネルを決定する手段は、前記ＩＰアドレスに少なくとも部分的に基づいて、前記トンネルを決定する請求項２５記載の装置。
【請求項３２】
コンピュータ読取可能記憶媒体において、
少なくとも１つのコンピュータに、ドナーエボルブドノードＢ（ｅＮＢ）と中継器ｅＮＢとの間の複数の無線ベアラに関連する、前記ドナーｅＮＢとの複数の通信トンネルを確立させるためのコードと、
前記少なくとも１つのコンピュータに、複数のプロトコルヘッダを含むパケットを、アップストリームゲートウェイから取得させるためのコードと、
前記少なくとも１つのコンピュータに、前記複数のプロトコルヘッダのうちの少なくとも１つ中の１つ以上のパラメータに少なくとも部分的に基づいて、前記パケットを送信するための、前記複数の通信トンネルのうちの１つを選択させるためのコードとを含むコンピュータ読取可能記憶媒体。
【請求項３３】
前記複数のプロトコルヘッダのうちの少なくとも１つの１つ以上のパラメータは、区別されたサービスコードポイント（ＤＳＣＰ）値である請求項３２記載のコンピュータ読取可能記憶媒体。
【請求項３４】
前記コンピュータ読取可能記憶媒体は、前記少なくとも１つのコンピュータに、前記複数の通信トンネルのうちの少なくとも一部分に、ＤＳＣＰ値の１つ以上の範囲を関係付けさせるためのコードをさらに含む請求項３３記載のコンピュータ読取可能記憶媒体。
【請求項３５】
前記コンピュータ読取可能記憶媒体は、前記少なくとも１つのコンピュータに、前記複数の通信トンネルのそれぞれに、複数のサービスデータフロー（ＳＤＦ）のうちの少なくとも１つを関係付けさせるためのコードをさらに含む請求項３２記載のコンピュータ読取可能記憶媒体。
【請求項３６】
前記コンピュータ読取可能記憶媒体は、前記少なくとも１つのコンピュータに、ＳＤＦフィルタとともに前記１つ以上のパラメータを処理することに少なくとも部分的に基づいて、前記パケットに対するＳＤＦを決定させるためのコードと、前記少なくとも１つのコンピュータに、前記ＳＤＦを決定することに少なくとも部分的に基づいて、前記複数の通信トンネルのうちの１つを選択させるためのコードとをさらに含む請求項３５記載のコンピュータ読取可能記憶媒体。
【請求項３７】
前記ＳＤＦフィルタは、複数のＳＤＦフィルタパラメータを前記複数の通信トンネルに関係付け、前記少なくとも１つのコンピュータに、前記ＳＤＦを決定させるためのコードは、前記１つ以上のパラメータを前記複数のＳＤＦフィルタパラメータのうちの一部分に関係付けることにより、前記１つ以上のパラメータを処理する請求項３６記載のコンピュータ読取可能記憶媒体。
【請求項３８】
前記複数のプロトコルヘッダのうちの少なくとも１つは、汎用パケット無線サービス（ＧＰＲＳ）トンネリングプロトコル（ＧＴＰ）ヘッダであり、前記複数のプロトコルヘッダのうちの少なくとも１つの１つ以上のパラメータは、ダウンリンクトンネルエンドポイント識別子である請求項３６記載のコンピュータ読取可能記憶媒体。
【請求項３９】
前記複数のプロトコルヘッダのうちの少なくとも１つは、前記パケットの最も内側のインターネットプロトコル（ＩＰ）ヘッダである請求項３６記載のコンピュータ読取可能記憶媒体。
【請求項４０】
前記複数のプロトコルヘッダのうちの少なくとも１つの１つ以上のパラメータは、ユーザデータグラムプロトコルポート番号である請求項３６記載のコンピュータ読取可能記憶媒体。
【請求項４１】
前記コンピュータ読取可能記憶媒体は、
前記少なくとも１つのコンピュータに、インターネットプロトコル（ＩＰ）アドレスに関連する接続を通して、前記アップストリームゲートウェイから異なるパケットを取得させるためのコードと、
前記少なくとも１つのコンピュータに、前記ＩＰアドレスに少なくとも部分的に基づいて、前記複数の通信トンネルから、前記異なるパケットを送信するための異なるトンネルを選択させるためのコードとをさらに含む請求項３２記載のコンピュータ読取可能記憶媒体。
【請求項４２】
装置において、
ドナーエボルブドノードＢ（ｅＮＢ）と中継器ｅＮＢとの間で確立されている複数の無線ベアラに関連する、前記ドナーｅＮＢとの複数の通信トンネルを確立するトンネル初期化コンポーネントと、
複数のプロトコルヘッダを含み、ワイヤレスデバイスに関連するパケットを受信する通信コンポーネントと、
前記複数のプロトコルヘッダのうちの少なくとも１つの１つ以上のパラメータに少なくとも部分的に基づいて、前記複数の通信トンネルから、前記ドナーｅＮＢに対して前記パケットを送信するためのトンネルを決定するトンネル関係付けコンポーネントとを具備する装置。
【請求項４３】
前記複数のプロトコルヘッダのうちの少なくとも１つから、区別されたサービスコードパラメータ（ＤＳＣＰ）値を抽出するＩＰヘッダパラメータ決定コンポーネントをさらに具備し、前記複数のプロトコルヘッダのうちの少なくとも１つの１つ以上のパラメータは、前記ＤＳＣＰ値である請求項４２記載の装置。
【請求項４４】
前記トンネルは、サービスデータフロー（ＳＤＦ）である請求項４２記載の装置。
【請求項４５】
前記１つ以上のパラメータから、ダウンリンクトンネルエンドポイント識別子（ＤＬ−ＴＥＩＤ）を決定するＳＤＦフィルタリングコンポーネントをさらに具備し、前記トンネル関係付けコンポーネントは、前記ＤＬ−ＴＥＩＤに少なくとも部分的に基づいて、前記ＳＤＦを決定し、前記複数のプロトコルヘッダのうちの少なくとも１つは、汎用パケット無線サービス（ＧＰＲＳ）トンネリングプロトコル（ＧＴＰ）ヘッダである請求項４４記載の装置。
【請求項４６】
前記複数のプロトコルヘッダのうちの少なくとも１つは、最も内側のインターネットプロトコル（ＩＰ）ヘッダである請求項４４記載の装置。
【請求項４７】
前記１つ以上のパラメータとして、ユーザデータグラムプロトコル（ＵＤＰ）ポート番号を抽出するＵＤＰポート決定コンポーネントをさらに具備し、前記トンネル関係付けコンポーネントは、前記ＵＤＰポート番号に少なくとも部分的に基づいて、前記ＳＤＦを決定する請求項４４記載の装置。
【請求項４８】
前記通信コンポーネントは、インターネットプロトコル（ＩＰ）アドレスに関連する接続を通して前記パケットを受信し、異なるＩＰアドレスに関連する異なる接続を通して異なるパケットをさらに受信し、前記トンネル関係付けコンポーネントは、前記ＩＰアドレスに少なくとも部分的に基づいて、前記トンネルを決定する請求項４２記載の装置。
【発明の詳細な説明】
【米国特許法第１１９条の下での優先権の主張】
【０００１】
本特許出願は、“ロングタームエボリューションシステムのための中継器ノード処理”と題し、２００９年４月１０日に出願され、その譲受人に譲渡され、ここで、参照によりここに明示的に組み込まれている、仮出願番号第６１／１６８，５２２号に対する優先権を主張する。
【背景】
【０００２】
分野
以下の説明は、一般的にワイヤレス通信に関し、さらに詳細には、複数のアクセスポイント間でのデータパケットのルーティングに関する。
【０００３】
背景
ワイヤレス通信システムは、例えば、音声、データ等のようなさまざまなタイプの通信コンテンツを提供するように、幅広く展開されている。典型的なワイヤレス通信システムは、利用可能なシステムリソース（例えば、帯域幅、送信電力、．．．）を共有することにより、複数のユーザとの通信をサポートすることが可能である多元接続システムであってもよい。このような多元接続システムの例には、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、これらに類するものが含まれていてもよい。付加的に、システムは、第３世代パートナーシッププロジェクト（３ＧＰＰ）、３ＧＰＰロングタームエボリューション（ＬＴＥ）、ウルトラモバイルブロードバンド（ＵＭＢ）のような仕様、および／または、エボリューションデータオプティマイズド（ＥＶ−ＤＯ）のようなマルチ搬送波ワイヤレス仕様、１つ以上のこれらの改訂に準拠することができる。
【０００４】
一般的に、ワイヤレス多元接続通信システムは、複数の移動体デバイスに対する通信を同時にサポートすることができる。各移動体デバイスは、フォワードリンク上およびリバースリンク上の送信を通して、１つ以上のアクセスポイント（例えば、基地局）と通信してもよい。フォワードリンク（または、ダウンリンク）は、アクセスポイントから移動体デバイスへの通信リンクのことを指し、リバースリンク（または、アップリンク）は、移動体デバイスからアクセスポイントへの通信リンクのことを指す。さらに、移動体デバイスとアクセスポイントとの間の通信は、単一入力単一出力（ＳＩＳＯ）システム、複数入力単一出力（ＭＩＳＯ）システム、複数入力複数出力（ＭＩＭＯ）システム等を通して確立してもよい。しかしながら、アクセスポイントは、地理的なカバレッジエリアとともに、リソースが制限されることがあり、これにより、カバレッジの端近くにあるデバイスおよび／または高いトラフィックのエリア中のデバイスが、アクセスポイントからの質の低下した通信を経験することがある。
【０００５】
移動体デバイスとアクセスポイントとの間の通信を促進することにより、ネットワーク容量とカバレッジエリアとを拡張するために、中継器ノードを提供することがある。例えば、中継器ノードは、ドナーアクセスポイントとバックホールリンクを確立することができ、ドナーアクセスポイントは、多数の中継器ノードにアクセスを提供することができ、中継器ノードは、１つ以上の移動体デバイスまたは付加的な中継器ノードとアクセスリンクを確立することができる。バックエンドコアネットワークコンポーネントに対する修正を軽減するために、Ｓ１−Ｕのような、バックエンドネットワークコンポーネントとの通信インターフェースは、ドナーアクセスポイントにおいて終端することがある。したがって、ドナーアクセスポイントは、バックエンドネットワークコンポーネントに対する通常のアクセスポイントとして見える。この目的のために、ドナーアクセスポイントは、移動体デバイスに通信するために、バックエンドネットワークコンポーネントから中継器ノードにパケットをルーティングすることができる。
【概要】
【０００６】
以下のものは、このような態様の基本的な理解を提供するために、１つ以上の態様の簡略化した概要を提示する。この概要は、すべての考えられる態様の広範囲にわたる概略ではなく、すべての態様のキーエレメントまたは重要なエレメントを識別すること、あるいは、任意の態様またはすべての態様の範囲を詳細に述べることのどちらも意図していない。この唯一の目的は、後に提示するさらに詳細な説明に対する前置きとして、１つ以上の態様のうちのいくつかの概念を簡略化した形態で提示することである。
【０００７】
１つ以上の態様およびこれらの対応する開示にしたがうと、１つ以上の中継器ノードの間で、ドナーアクセスポイントから１つ以上のエンドデバイスに、および／または、その逆もまた同じように、データをルーティングすることを促進することに関して、さまざまな態様を説明する。例えば、１つ以上の中継器ノードは、ユーザ機器（ＵＥ）または他のエンドデバイスと同様に、ドナーアクセスポイントと通信することができ、したがって、ドナーアクセスポイントと確立することができる無線ベアラの数に制限される。しかしながら、１つ以上の中継器ノードはまた、所定のＵＥとの別の数の無線ベアラの確立をサポートすることができる。したがって、例えば、１つ以上の中継器ノードとドナーアクセスポイントとの間で確立されている無線ベアラを通しての、さらに、後続して、１つ以上の中継器ノードと所定のＵＥとの間で確立されている１つ以上の無線ベアラを通しての、パケットの適切な配信を確実にするために、中継器ノードにおいて、および／または、コアネットワーク内で、ベアラマッピングおよび／またはトンネル関係付け手順を規定することができる。１つの例では、ＵＥに関連するコアネットワークコンポーネントは、サービング中継器ノードに関連するコアネットワークコンポーネントに対して、トンネルにまたは対応するベアラに関連する１つ以上のパラメータをインターネットプロトコル（ＩＰ）ヘッダのようなアプリケーションレイヤヘッダ中で指定するパケットを通信することができる。１つ以上のパラメータを利用して、中継器ノードとドナーアクセスポイントとの間で確立されている適切なベアラを通して、パケットをルーティングすることができる。別の例では、サービスデータフロー（ＳＤＦ）フィルタを利用または修正して、１つ以上のパラメータに基づくこのようなルーティングを実施することができる。
【０００８】
関連する態様にしたがうと、それぞれが、ドナーエボルブドノードＢ（ｅＮＢ）と中継器ｅＮＢとの間の複数の無線ベアラのうちの１つに関連する、ドナーｅＮＢとの複数の通信トンネルを確立することと、複数のプロトコルヘッダを含む、ワイヤレスデバイスに関連するパケットを受信することとを含む方法が提供されている。方法はさらに、複数のプロトコルヘッダのうちの少なくとも１つの１つ以上のパラメータに少なくとも部分的に基づいて、複数の通信トンネルから、ドナーｅＮＢに対してパケットを送信するためのトンネルを選択することを含んでいる。
【０００９】
別の態様は、装置に関連している。装置は、ドナーｅＮＢと中継器ｅＮＢとの間の複数の無線ベアラに関連する、ドナーｅＮＢとの複数の通信トンネルを確立するようにと、複数のプロトコルヘッダを含むパケットを、アップストリームゲートウェイから取得するように構成されている少なくとも１つのプロセッサを具備することができる。少なくとも１つのプロセッサは、複数のプロトコルヘッダのうちの少なくとも１つ中の１つ以上のパラメータに少なくとも部分的に基づいて、パケットを受信するための、複数の通信トンネルのうちの１つを選択するようにさらに構成されている。装置はまた、少なくとも１つのプロセッサに結合されているメモリを具備している。
【００１０】
さらに別の態様は、装置に関連している。装置は、ドナーｅＮＢと中継器ｅＮＢとの間で確立されている複数の無線ベアラに関連する、ドナーｅＮＢとの複数の通信トンネルを初期化する手段と、複数のプロトコルヘッダを含み、ワイヤレスデバイスに関連するパケットを受信する手段とを具備している。装置はまた、複数のプロトコルヘッダのうちの少なくとも１つの１つ以上のパラメータに少なくとも部分的に基づいて、複数の通信トンネルから、ドナーｅＮＢに対してパケットを送信するためのトンネルを決定する手段を具備している。
【００１１】
さらに別の態様は、コンピュータプログラムプロダクトに関連している。コンピュータプログラムプロダクトは、少なくとも１つのコンピュータに、ドナーｅＮＢと中継器ｅＮＢとの間の複数の無線ベアラに関連する、ドナーｅＮＢとの複数の通信トンネルを確立させるためのコードと、少なくとも１つのコンピュータに、複数のプロトコルヘッダを含むパケットを、アップストリームゲートウェイから取得させるためのコードとを含むコンピュータ読取可能媒体を有することができる。コンピュータ読取可能媒体はまた、少なくとも１つのコンピュータに、複数のプロトコルヘッダのうちの少なくとも１つ中の１つ以上のパラメータに少なくとも部分的に基づいて、パケットを受信するための、複数の通信トンネルのうちの１つを選択させるためのコードとを含むことができる。
【００１２】
さらに、付加的な態様は、ドナーｅＮＢと中継器ｅＮＢとの間で確立されている複数の無線ベアラに関連する、ドナーｅＮＢとの複数の通信トンネルを確立するトンネル初期化コンポーネントと、複数のプロトコルヘッダを含み、ワイヤレスデバイスに関連するパケットを受信する通信コンポーネントとを具備する装置に関連している。装置はさらに、複数のプロトコルヘッダのうちの少なくとも１つの１つ以上のパラメータに少なくとも部分的に基づいて、複数の通信トンネルから、ドナーｅＮＢに対してパケットを送信するためのトンネルを決定するトンネル関係付けコンポーネントを具備することができる。
【００１３】
別の態様にしたがうと、コアワイヤレスネットワークコンポーネントから、１つ以上のＳＤＦフィルタパラメータを受信することと、ワイヤレスデバイスに関係付けられている複数の無線ベアラのうちの１つを通して、ワイヤレスデバイスからアップリンクパケットを取得することとを含む方法が提供されている。方法はさらに、１つ以上のＳＤＦフィルタパラメータに少なくとも部分的に基づいて、アップリンクパケットを送信するアップストリームｅＮＢと確立されている複数の異なる無線ベアラのうちの１つを選択することを含んでいる。
【００１４】
別の態様は、ワイヤレス通信装置に関連している。ワイヤレス通信装置は、アップストリームネットワークコンポーネントから、１つ以上のＳＤＦフィルタパラメータを取得するようにと、ワイヤレスデバイスと確立されている無線ベアラを通して、ワイヤレスデバイスからアップリンクパケットを受信するように構成されている少なくとも１つのプロセッサを具備することができる。少なくとも１つのプロセッサは、１つ以上のＳＤＦフィルタパラメータに少なくとも部分的に基づいて、アップリンクパケットを送信するアップストリームｅＮＢと確立されている異なる無線ベアラを決定するようにさらに構成されている。ワイヤレス通信装置はまた、少なくとも１つのプロセッサに結合されているメモリを具備している。
【００１５】
さらに別の態様は、装置に関連している。装置は、１つ以上のＳＤＦフィルタパラメータを受信する手段と、ワイヤレスデバイスからアップリンクパケットを受信する手段とを具備している。装置はまた、１つ以上のＳＤＦフィルタパラメータに少なくとも部分的に基づいて、アップリンクパケットを送信するアップストリームｅＮＢと確立されている無線ベアラを決定する手段を具備している。
【００１６】
さらに別の態様は、コンピュータプログラムプロダクトに関連している。コンピュータプログラムプロダクトは、少なくとも１つのコンピュータに、アップストリームネットワークコンポーネントから、１つ以上のＳＤＦフィルタパラメータを取得させるためのコードと、少なくとも１つのコンピュータに、ワイヤレスデバイスと確立されている無線ベアラを通して、ワイヤレスデバイスからアップリンクパケットを受信させるためのコードとを含むコンピュータ読取可能媒体を有することができる。コンピュータ読取可能媒体はまた、少なくとも１つのコンピュータに、１つ以上のＳＤＦフィルタパラメータに少なくとも部分的に基づいて、アップリンクパケットを送信するアップストリームｅＮＢと確立されている異なる無線ベアラを決定させるためのコードとを含むことができる。
【００１７】
さらに、付加的な態様は、ネットワークコンポーネントから、１つ以上のＳＤＦフィルタパラメータを取得するＳＤＦフィルタパラメータ受信コンポーネントと、ワイヤレスデバイスからアップリンクパケットを受信する通信コンポーネントとを具備する装置に関連している。装置はさらに、１つ以上のＳＤＦフィルタパラメータに少なくとも部分的に基づいて、アップリンクパケットを送信するための、アップストリームｅＮＢと確立されている無線ベアラを決定するＳＤＦフィルタリングコンポーネントを具備することができる。
【００１８】
先の目的および関連する目的を達成するために、１つ以上の態様は、後に完全に説明する特徴、および、特許請求の範囲中で特に指摘する特徴を含んでいる。以下の説明および添付図面により、１つ以上の態様のある例示的な特徴を詳細に述べる。これらの特徴は、さまざまな態様の原理を用いることができるさまざまな方法のうちのいくつかだけを示しているが、この説明は、このようなすべての態様およびそれらの均等物を含むことを意図している。
【図面の簡単な説明】
【００１９】
【図１】図１は、ワイヤレスネットワークに対して中継器を提供することを促進する例示的なワイヤレス通信システムの例である。
【図２】図２は、パケットをルーティングするための無線ベアラおよび／または関連するトンネルを確立することを促進する例示的なワイヤレス通信システムの例である。
【図３】図３は、ワイヤレス通信環境内で用いるための例示的なワイヤレスネットワークコンポーネントの例である。
【図４】図４は、ＩＰヘッダパラメータにしたがって、サービス品質（ＱｏＳ）ベアラをマッピングする例示的なワイヤレス通信システムの例である。
【図５】図５は、トンネルエンドポイント識別子（ＴＥＩＤ）に少なくとも部分的に基づいて、通信トンネルへのパケットをフィルタリングする例示的なワイヤレス通信システムの例である。
【図６】図６は、最も内側のヘッダに基づいて、通信トンネルへのパケットをフィルタリングする例示的なワイヤレス通信システムの例である。
【図７】図７は、ユーザデータグラムプロトコル（ＵＤＰ）ポート番号に少なくとも部分的に基づいて、通信トンネルへのパケットをフィルタリングする例示的なワイヤレス通信システムの例である。
【図８】図８は、インターネットプロトコル（ＩＰ）中継器を利用して、ワイヤレスネットワークへのアクセスを提供する例示的なワイヤレス通信システムの例である。
【図９】図９は、デバイス通信に対してＩＰ中継器機能性を提供することを促進する例示的なプロトコルスタックの例である。
【図１０】図１０は、１つ以上のプロトコルヘッダパラメータに基づいて、パケットに対する通信トンネルを選択するための例示的な方法論の例である。
【図１１】図１１は、ＩＰヘッダパラメータ値に基づいて、パケットに対する通信トンネルを選択する例示的な方法論の例である。
【図１２】図１２は、６−タプルに少なくとも部分的に基づいて、パケットに対する通信トンネルを決定する例示的な方法論の例である。
【図１３】図１３は、ＩＰヘッダに基づいて、通信トンネルへのパケットをフィルタリングする例示的な方法論の例である。
【図１４】図１４は、ＵＤＰポート番号に少なくとも部分的に基づいて、通信トンネルへのパケットをフィルタリングする例示的な方法論の例である。
【図１５】図１５は、１つ以上の受信したサービスデータフロー（ＳＤＦ）パラメータに基づいて、無線ベアラへのパケットをフィルタリングする例示的な方法論の例である。
【図１６】図１６は、ここで述べるさまざまな態様にしたがった、ワイヤレス通信システムの例である。
【図１７】図１７は、ここで説明するさまざまなシステムおよび方法とともに用いることができる例示的なワイヤレスネットワーク環境の例である。
【図１８】図１８は、１つ以上のプロトコルヘッダパラメータに基づいて、パケットに対する通信トンネルを選択する例示的なシステムの例である。
【図１９】図１９は、１つ以上の受信したＳＤＦパラメータに基づいて、無線ベアラへのパケットをフィルタリングする例示的なシステムの例である。
【詳細な説明】
【００２０】
図面を参照して、ここでさまざまな態様を説明する。以下の説明では、説明の目的のために、１つ以上の態様の完全な理解を提供するために、多くの特定の詳細を述べる。しかしながら、これらの特定の詳細なしに、このような態様を実施できることは明らかである。
【００２１】
本出願で使用しているような、用語“コンポーネント”、“モジュール”、“システム”、および、これらに類するものは、これらに限定されないが、ハードウェアや、ファームウェアや、ハードウェアとソフトウェアとの組み合わせや、ソフトウェアや、または、実行中のソフトウェアのような、コンピュータ関連エンティティを含むことを意図している。例えば、コンポーネントは、これらに限定されないが、プロセッサ上で動作しているプロセス、プロセッサ、オブジェクト、実行ファイル、実行のスレッド、プログラム、および／または、コンピュータであってもよい。例として、コンピューティングデバイス上で動作しているアプリケーションとコンピューティングデバイスの双方をコンポーネントとすることができる。１つ以上のコンポーネントが、プロセスおよび／または実行のスレッド内に存在することがあり、コンポーネントは、１つのコンピュータ上に局所化されていてもよく、および／または、２つ以上のコンピュータの間に分散されていてもよい。加えて、それらの上にさまざまなデータ構造を記憶させているさまざまなコンピュータ読取可能媒体から、これらのコンポーネントは実行することができる。コンポーネントは、ローカルシステム中の、分散システム中の別のコンポーネントと対話する、および／または、インターネットのようなネットワークを通して、信号によって他のシステムと対話する、１つのコンポーネントからのデータのような、１つ以上のデータパケットを有する信号にしたがうような、ローカルおよび／または遠隔のプロセスによって通信してもよい。
【００２２】
さらに、端末に関連して、ここでさまざまな態様を説明する。端末は、ワイヤード端末またはワイヤレス端末とすることができる。端末はまた、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、または、ユーザ機器（ＵＥ）と呼ぶこともできる。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続されている他の処理デバイスであってもよい。さらに、基地局に関連して、ここでさまざまな態様を説明する。ワイヤレス端末と通信するために基地局を利用してもよく、基地局は、アクセスポイント、ノードＢ、エボルブドノードＢ（ｅＮＢ）、または、他の何らかの専門用語として呼ぶこともある。
【００２３】
さらに、“または”という文言は、排他的な“または”というよりむしろ、包含的な“または”を意味することを意図している。すなわち、特定の明記がない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによって満たされる：ＸがＡを用いる；ＸがＢを用いる；または、ＸがＡおよびＢの双方とも用いる。さらに、本出願および添付した特許請求の範囲で使用している冠詞“ａ”および“ａｎ”は、特定の明記がない限り、または、単数形を意図する文脈から明らかでない限り、一般的に、“１つ以上”を意味すると解釈すべきである。
【００２４】
ここで説明する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用されてもよい。“システム”および“ネットワーク”という文言は、区別なく使用されることが多い。ＣＤＭＡシステムは、ユニバーサル地上無線アクセス（ＵＴＲＡ）、ｃｄｍａ２０００等のような無線技術を実現してもよい。ＵＴＲＡは、ワイドバンドＣＤＭＡ（Ｗ−ＣＤＭＡ）と、ＣＤＭＡの他の変形とを含んでいる。さらに、ｃｄｍａ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ（登録商標））のような無線技術を実現してもよい。ＯＦＤＭＡシステムは、エボルブドＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを用いて、アップリンク上ではＳＣ−ＦＤＭＡを用いるＥ−ＵＴＲＡを使用するＵＭＴＳのリリースである。ＵＴＲＡと、Ｅ−ＵＴＲＡと、ＵＭＴＳと、ＬＴＥと、ＧＳＭとは、“第三世代パートナーシッププロジェクト”（３ＧＰＰ）という名の組織による文書中に記述されている。さらに、ｃｄｍａ２０００とＵＭＢは、“第三世代パートナーシッププロジェクト２”（３ＧＰＰ２）という名の組織による文書中に記述されている。さらに、このようなワイヤレス通信システムは、付加的に、対でないライセンスされていないスペクトル、８０２．ｘｘワイヤレスＬＡＮ、ブルートゥース（登録商標）、および、他の何らかの短距離または長距離のワイヤレス通信技術を使用することが多い、ピア・ツー・ピア（例えば、移動体対移動体）アドホックネットワークシステムを含んでいてもよい。
【００２５】
多数のデバイス、コンポーネント、モジュール、および、これらに類するものを含んでいてもよいシステムの観点から、さまざまな態様または特徴を提示するだろう。さまざまなシステムが、付加的なデバイス、コンポーネント、モジュール等を含んでいてもよいことを、および／または、図面に関連して論じた、デバイス、コンポーネント、モジュール等のうちのすべてを含んでいなくてもよいことを理解し、正しく認識すべきである。これらのアプローチの組み合わせもまた使用してもよい。
【００２６】
図１を参照すると、ワイヤレスネットワーク中に中継器機能性を提供することを促進するワイヤレス通信システム１００が示されている。システム１００は、中継器ｅＮＢ１０４のような、１つ以上の中継器ｅＮＢに、コアネットワーク１０６へのアクセスを提供するドナーｅＮＢ１０２を含んでいる。同様に、中継器ｅＮＢ１０４は、中継器ｅＮＢ１０８のような、１つ以上の異なる中継器ｅＮＢに、または、ＵＥ１１０のようなＵＥに、ドナーｅＮＢ１０２を通してのコアネットワーク１０６へのアクセスを提供することができる。クラスターｅＮＢとしても呼ぶことができるドナーｅＮＢ１０２は、ワイヤードまたはワイヤレスのバックホールリンクを通してコアネットワーク１０６と通信することができ、ワイヤードまたはワイヤレスのバックホールリンクは、ＬＴＥまたは他の技術のバックホールリンクとすることができる。１つの例では、コアネットワーク１０６は、３ＧＰＰ ＬＴＥまたは類似する技術のネットワークとすることができる。
【００２７】
ドナーｅＮＢ１０２は、中継器ｅＮＢ１０４に対してアクセスリンクを付加的に提供することができ、これは、ワイヤードまたはワイヤレス、ＬＴＥ、あるいは、他の技術とすることもでき、中継器ｅＮＢ１０４は、バックホールリンクを使用して、ドナーｅＮＢ１０２のアクセスリンクを通して、ドナーｅＮＢ１０２と通信することができる。中継器ｅＮＢ１０４は、同様に、中継器ｅＮＢ１０８および／またはＵＥ１１０に対してアクセスリンクを提供することができ、これは、ワイヤードまたはワイヤレスのＬＴＥ、あるいは、他の技術のリンクとすることができる。１つの例では、ドナーｅＮＢ１０２は、ＬＴＥアクセスリンクを提供することができ、中継器ｅＮＢ１０４は、ＬＴＥバックホールを使用して、ＬＴＥアクセスリンクに接続することができ、中継器ｅＮＢ１０４は、中継器ｅＮＢ１０８および／またはＵＥ１１０にＬＴＥアクセスリンクを提供することができる。ドナーｅＮＢ１０２は、異なるバックホールリンク技術を通してコアネットワーク１０６に接続することができる。説明したように、中継器ｅＮＢ１０８および／またはＵＥ１１０は、コアネットワーク１０６へのアクセスを受信するために、ＬＴＥアクセスリンクを使用して、中継器ｅＮＢ１０４に接続することができる。ここでは、ドナーｅＮＢと、接続されている中継器ｅＮＢとを、集合的にクラスターとして呼ぶことができる。
【００２８】
例にしたがうと、従来のＬＴＥコンフィギュレーションにおいてＵＥが行うように、中継器ｅＮＢ１０４は、リンクレイヤ（例えば、メディアアクセス制御（ＭＡＣ）レイヤ）、トランスポートレイヤ、アプリケーションレイヤ、および／または、これらに類するものにおいて、ドナーｅＮＢ１０２に接続することができる。この点で、ドナーｅＮＢ１０２は、中継器ｅＮＢ１０４をサポートするために、リンクレイヤや、トランスポートレイヤや、アプリケーションレイヤ等において、または、関連するインターフェース（例えば、Ｅ−ＵＴＲＡ−Ｕｕのような、ユーザ対ユーザ（Ｕｕ）や、ＥＵＴＲＡ−Ｕｎのような、ユーザ対ネットワーク（Ｕｎ）等）において、変更を要求しない従来のＬＴＥ ｅＮＢとして、動作することができる。加えて、中継器ｅＮＢ１０４は、ＵＥ１１０に対して、リンクレイヤ、トランスポートレイヤ、アプリケーションレイヤ、および／または、これらに類するものにおいて、ＬＴＥコンフィギュレーション中の従来のｅＮＢのように見えることがあり、このため、例えば、リンクレイヤ、トランスポートレイヤ、アプリケーションレイヤ等において、ＵＥ１１０が中継器ｅＮＢ１０４に接続するために必要とされる変更はない。加えて、中継器ｅＮＢ１０４は、アクセスリンクとバックホールリンクとの間を区分するリソースや、干渉管理や、クラスターに対するアイドルモードセル選択や、および／または、これらに類するものに対する手順を構成することができる。１つの例では、中継器ｅＮＢ１０４が付加的なドナーｅＮＢに接続できることを正しく認識すべきである。
【００２９】
したがって、例えば、中継器ｅＮＢ１０４は、ドナーｅＮＢ１０２と接続を確立して、（移動性管理エンティティ（ＭＭＥ）、サービングゲートウェイ（ＳＧＷ）、パケットデータネットワーク（ＰＤＮ）ゲートウェイ（ＰＧＷ）等のような、）コアネットワーク１０６中の１つ以上のコンポーネントへのアクセスを受信することができる。例では、中継器ｅＮＢ１０４は、（例えば、ドナーｅＮＢ１０２を通して、）コアネットワーク１０６中のＰＧＷ／ＳＧＷから、それらと通信するためのインターネットプロトコル（ＩＰ）アドレスを取得することができる。加えて、ＵＥ１１０は、中継器ｅＮＢ１０４と接続を確立して、コアネットワーク１０６中の１つ以上の類似するコンポーネントへのアクセスを受信することができる。この点で、例えば、ＵＥ１１０は、コアネットワーク１０６に提供するためのＩＰパケットを中継器ｅＮＢ１０４に通信することができる。中継器ｅＮＢ１０４は、ＩＰパケットを取得し、中継器ｅＮＢ１０４に関連する付加的なＩＰヘッダをパケットに関係付け、ドナーｅＮＢ１０２にパケットを提供することができる。したがって、ドナーｅＮＢ１０２は、（例えば、別のヘッダを追加して、コアネットワーク１０６に送信することにより、）中継器ｅＮＢ１０４に関連するコアネットワーク１０６のコンポーネントに対してパケットをルーティングすることができる。
【００３０】
例えば、コアネットワーク１０６のコンポーネントは、さまざまなＩＰヘッダにしたがって、コアネットワーク１０６内でパケットをルーティングすることができる。さらに、例えば、コアネットワーク１０６は、中継器ｅＮＢ１０４を通してＵＥ１１０にパケットをルーティングすることに関連するＩＰヘッダを含めるように、ＵＥ１１０に提供するためのパケットを構築することができる。例では、コアネットワーク１０６は、中継器ｅＮＢ１０４に関連するＩＰヘッダ、および、ドナーｅＮＢ１０２に関連するＩＰヘッダとともに、ＵＥ１１０に関連するＩＰヘッダをパケットに含めることができる。コアネットワーク１０６は、ヘッダを持つパケットをドナーｅＮＢ１０２に転送することができる。ドナーｅＮＢ１０２は、パケットを取得し、ドナーｅＮＢ１０２に関連するＩＰヘッダを除去し、次のＩＰヘッダに基づいて、中継器ｅＮＢ１０４にパケットを転送することができる。１つの例では、中継器ｅＮＢ１０４は、中継器ｅＮＢ１０４に関連するヘッダを同様に除去し、中継器ｅＮＢ１０４は、残りのＩＰヘッダまたは別のヘッダに基づいて、ＵＥ１１０にパケットを転送することができる。ＵＥ１１０とドナーｅＮＢ１０２との間には１つの中継器ｅＮＢ１０４が示されているが、付加的な中継器ｅＮＢが存在することがあり、説明したように、パケットルーティングを促進するために、アップリンクパケットにおよびダウンリンクパケットに、各中継器ｅＮＢに対するＩＰヘッダを追加できることを正しく認識すべきである。
【００３１】
さらに、説明するように、中継器ｅＮＢ１０４は、ＵＥと同じようにドナーｅＮＢ１０２に接続することができるので、ドナーｅＮＢにより、ドナーｅＮＢと確立することができる無線ベアラの数に制限されることもある。しかしながら、中継器ｅＮＢ１０４は、同様に、ＵＥ１１０および／または１つ以上の付加的なＵＥが、中継器ｅＮＢ１０４と多数の無線ベアラを確立することを可能にすることができる。この点で、ＵＥ１１０と中継器ｅＮＢ１０４との間で確立される無線ベアラは、中継器ｅＮＢ１０４とドナーｅＮＢ１０２との間で確立される制限された無線ベアラにマッピングすることができる。例では、コアネットワーク１０６は、ドナーｅＮＢ１０２を通して中継器ｅＮＢ１０４に確実にパケットをルーティングするために、このようなマッピングを実行することがある。例えば、コアネットワーク１０６は、適切なルーティングを確実にするために、コアネットワーク１０６のコンポーネント間で、無線ベアラまたは関連するトンネル識別子を通信することができる。例えば、コアネットワーク１０６のコンポーネントにより確立されるＩＰヘッダを使用して、サービスデータフロー（ＳＤＦ）フィルタを利用または修正して、ならびに／あるいは、これらに類するもので、識別子を指定することができる。
【００３２】
識別子に基づいて、例えば、コアネットワーク１０６は、ドナーｅＮＢ１０２と適切な中継器ｅＮＢ１０４との間で確立されている無線ベアラに対応するトンネル中で、ドナーｅＮＢ１０２にパケットを配信することができる。これは、パケットにトンネリングプロトコルヘッダを追加して、トンネリングヘッダを持つパケットをドナーｅＮＢ１０２に送信することを含むことができる。ドナーｅＮＢ１０２は、トンネルに関連する無線ベアラを通して、中継器ｅＮＢ１０４にパケットを送信することができる。中継器ｅＮＢ１０４は、パケットを受信し、パケットの１つ以上のパラメータまたはパケットの１つ以上のヘッダに少なくとも部分的に基づいて、確立されている無線ベアラを通して、ＵＥ１１０にパケットを提供する。中継器ｅＮＢ１０４とドナーｅＮＢ１０２との間に、１つ以上の中間中継器ｅＮＢが存在する場合には、中間中継器ｅＮＢは、同様に、無線ベアラを確立して、ドナーｅＮＢ１０２（または、別のアップストリームｅＮＢ）と通信することができる。したがって、例えば、コアネットワーク１０６は、ダウンストリーム中継器ｅＮＢと確立されている無線ベアラに関係付けられているトンネルを使用して、ドナーｅＮＢ１０２と、（ドナーｅＮＢ１０２を通して）中間中継器ｅＮＢとにパケットを配信することができる。
【００３３】
図２を見ると、ワイヤレスネットワークにおいてＩＰ中継器通信をサポートすることを促進するワイヤレス通信システム２００が示されている。システム２００は、中継器ｅＮＢ１０４のような１つ以上の中継器ｅＮＢに、コアネットワーク１０６へのアクセスを提供するドナーｅＮＢ１０２を含んでいる。説明したように、中継器ｅＮＢ１０４は、同様に、１つ以上の異なる中継器ｅＮＢにまたはＵＥ１１０のようなＵＥに、ドナーｅＮＢ１０２を通してのコアネットワーク１０６へのアクセスを提供することができる。さらに、ドナーｅＮＢ１０２は、マクロセルアクセスポイント、フェムトセルアクセスポイント、ピコセルアクセスポイント、移動体基地局、および／または、これらに類するものとすることができる。説明するように、中継器ｅＮＢ１０４は、同様に、ワイヤレスまたはワイヤードのバックホールを通してドナーｅＮＢ１０２と通信する、移動性のまたは静的な中継器ノードとすることができる。
【００３４】
ドナーｅＮＢ１０２は、中継器ｅＮＢにアクセスを提供するために、アクセスリンクを通して中継器ｅＮＢに、および／または、バックホールリンクを通してコアネットワークに、データを送信する、ならびに／あるいは、アクセスリンクを通して中継器ｅＮＢから、ならびに／あるいは、バックホールリンク通してコアネットワークから、データを受信する通信コンポーネント２０２と、ベアラ確立に対する要求を中継器ｅＮＢに送信するベアラ要求コンポーネント２０４とを備えることができる。ドナーｅＮＢ１０２はまた、汎用パケット無線サービス（ＧＰＲＳ）トンネリングプロトコル（ＧＴＰ）トンネルまたは類似するトンネルのような、通信トンネルを、確立されたベアラに割り当てるトンネル関係付けコンポーネント２０６と、コアネットワーク中でのルーティングを促進するために、アップストリームパケットにＧＴＰおよび／またはＩＰヘッダを追加するＧＴＰ／ＩＰヘッダ割り当てコンポーネント２０８とを備えている。
【００３５】
中継器ｅＮＢ１０４は、アクセスリンクを通してＵＥまたは他の中継器ｅＮＢに、および／または、バックホールリンクを通してドナーｅＮＢまたは１つ以上のアップストリーム中継器ｅＮＢに、データを送信する、ならびに／あるいは、アクセスリンクを通してＵＥまたは他の中継器ｅＮＢから、ならびに／あるいは、バックホールリンクを通してドナーｅＮＢまたは１つ以上のアップストリーム中継器ｅＮＢから、データを受信する通信コンポーネント２１０を備えている。中継器ｅＮＢ１０４はまた、ドナーｅＮＢとのまたは１つ以上のアップストリーム中継器ｅＮＢとの無線ベアラを初期化するベアラ確立コンポーネント２１２と、ＵＥまたは異なる中継器ｅＮＢからの通信を、ドナーｅＮＢまたは１つ以上のアップストリーム中継器ｅＮＢとの無線ベアラに相関させるベアラ関係付けコンポーネント２１４と、ＰＧＷ／ＳＧＷ、ＭＭＥ、または、他のコアネットワークコンポーネントに転送するために、ＧＴＰおよび／またはＩＰヘッダを通信に関係付けるＧＴＰ／ＩＰヘッダ割り当てコンポーネント２１６とを備えている。
【００３６】
例にしたがうと、ベアラ要求コンポーネント２０４は、コアネットワーク１０６へのアクセスの提供を促進するために、中継器ｅＮＢ１０４と１つ以上の無線ベアラを確立するための要求を送信することができる。例えば、ベアラ要求コンポーネント２０４は、ベアラを確立するための要求をコアネットワーク１０６のアップストリームコンポーネントから受信することに少なくとも部分的に基づいて、要求を送信することができる。これは、コアネットワーク１０６アクセスを受信するためにドナーｅＮＢへの接続を確立している中継器ｅＮＢ１０４への応答や、（例えば、ＵＥ１１０からの所望のサービス品質（ＱｏＳ）に基づいて）付加的な無線ベアラを確立するための中継器ｅＮＢ１０４からの要求等とすることができる。ベアラ確立コンポーネント２１２は、ドナーｅＮＢ１０２との無線ベアラを初期化することができる。加えて、トンネル関係付けコンポーネント２０６は、無線ベアラの確立に基づいて、ＧＴＰトンネルにまたはコアネットワーク１０６のコンポーネントと確立されている他の通信トンネルに無線ベアラを相関させることができる。この点で、例えば、無線ベアラを通してドナーｅＮＢ１０２により受信した通信を、ＧＴＰトンネルを通してコアネットワーク１０６に送信することができる。
【００３７】
加えて、説明したように、中継器ｅＮＢ１０４は、ＵＥ１１０および他のＵＥと多数の無線ベアラを確立することができる一方で、ドナーｅＮＢ１０２と確立することができるベアラの数に制限される。したがって、例えば、中継器ｅＮＢ１０４は、ＵＥ１１０と確立しているベアラを、ドナーｅＮＢ１０２と確立しているものにマッピングすることができる。１つの例では、通信コンポーネント２１０は、コアネットワーク１０６のコンポーネントに提供するためのパケットをＵＥ１１０から取得することがある。ベアラ関係付けコンポーネント２１４は、コアネットワーク１０６にトンネルするための、ドナーｅＮＢ１０２と確立されている無線ベアラに、パケットを割り当てることができる。例では、ベアラ関係付けコンポーネント２１４は、パケットに関連する通信のタイプや、ＵＥ１１０からのパケットを受信した無線ベアラや、そこに関連するＱｏＳパラメータや、１つ以上の異なるトンネル上の負荷や、および／または、これらに類するものに少なくとも部分的に基づいて、無線ベアラにパケットを割り当てることができる。
【００３８】
さらに、ＵＥに関連するコアネットワーク１０６のコンポーネントへのパケットのルーティングを促進するために、パケットは、ＵＥ１１０により割り当てられたＩＰヘッダを含むことがある。したがって、例えば、ＵＥ１１０から受信したパケットは、以下に類似する構造を有することがある。
【表１】
0005536195.tif 000002
【００３９】
加えて、ＧＴＰ／ＩＰヘッダ割り当てコンポーネント２１６は、ＧＴＰヘッダおよび／または別のユーザデータグラムプロトコル（ＵＤＰ）／ＩＰヘッダをパケット中に含めることができ、これらは、それぞれ、ＵＥに関連するコアネットワーク１０６中のコンポーネントのＴＥＩＤと、コアネットワーク１０６中の宛先ノードのＩＰアドレスとを含むことができる。例えば、ＵＥ１１０と中継器ｅＮＢ１０４との間の無線ベアラの確立の間に、ならびに／あるいは、無線ベアラに関連する異なるメッセージに基づいて、ＴＥＩＤおよび／またはＩＰアドレスを、中継器ｅＮＢ１０４により受信することができ、記憶することができる。例では、ＵＥ１１０と、中継器ｅＮＢ１０４と確立されている無線ベアラとに関連するように、コアネットワーク１０６中の１つ以上のコンポーネントにより、ドナーｅＮＢにより、および／または、中継器ｅＮＢ１０４により、ＴＥＩＤを割り当てることができる。例えば、ドナーｅＮＢ１０２および／または中継器ｅＮＢ１０４により少なくとも部分的にＴＥＩＤが規定されている場合に、ダウンリンクパケットルーティングを促進するために、コアネットワーク１０６の１つ以上のコンポーネントにＴＥＩＤを提供することがある。この点で、ＧＴＰヘッダおよび／またはＵＤＰ／ＩＰヘッダを追加した後の構造は、以下に類似するものとすることができる。
【表２】
0005536195.tif 000003
【００４０】
通信コンポーネント２１０は、ベアラ関係付けコンポーネント２１４により選択された無線ベアラを通して、パケットを送信することができる。通信コンポーネント２０２は、パケットを取得することができる。トンネル関係付けコンポーネント２０６は、ＭＭＥ、ＰＧＷ／ＳＧＷ等のような、コアネットワーク１０６のコンポーネントに対してパケットを送信するための、ＧＴＰトンネルまたは類似するトンネルを選択することができる。説明するように、トンネル関係付けコンポーネント２０６は、パケットのＱｏＳにしたがってトンネルを選択することができ、パケットのＱｏＳは、パケット中で示すことができ、通信コンポーネント２０２によりパケットを受信した無線ベアラに基づいて推測することができ、および／または、これらに類するものとすることができる。加えて、ＧＴＰ／ＩＰヘッダ割り当てコンポーネント２０８は、関連するＧＴＰヘッダおよび／またはＵＤＰ／ＩＰヘッダをパケット中に挿入することができ、これらは、それぞれ、中継器ｅＮＢ１０４に関連するコアネットワーク１０６中のコンポーネントのＴＥＩＤと、コンポーネントのＩＰアドレスとを含むことができる。この点で、パケットは、以下に類似する構造を有することがある。
【表３】
0005536195.tif 000004
【００４１】
通信コンポーネント２０２は、説明したように、バックホールリンクを使用して、トンネルを通してコアネットワーク１０６にパケットを提供することができる。コアネットワーク１０６は、ヘッダを利用して、適切なノードに（例えば、ＵＥ１１０に関連するＰＧＷ／ＳＧＷまたはＭＭＥに）ＩＰパケットをルーティングすることができ、ならびに／あるいは、ヘッダを利用して、ダウンリンクパケットをトンネルに関係付けることができる。１つの中継器ｅＮＢ１０４が示されているが、中継器ｅＮＢ１０４とドナーｅＮＢ１０２との間に１つ以上の中間中継器ｅＮＢが存在することがあることが正しく認識される。例えば、中間中継器ｅＮＢは、同様に、さらなるアップストリームｅＮＢとのトンネルにパケットを関係付け、コアネットワーク１０６内でパケットをルーティングするためにＩＰヘッダを含めることができる、中継器ｅＮＢ１０４のコンポーネントを備えることができる。
【００４２】
例では、ＵＥ１１０は、中継器ｅＮＢ１０４からのヴォイスオーバーインターネットプロトコル（ＶｏＩＰ）サービスを要求することができ、中継器ｅＮＢ１０４は、ドナーｅＮＢ１０２に、および、コアネットワーク１０６まで、要求を転送することができる。コアネットワーク１０６は、エボルブドパケットシステム（ＥＰＳ）ベアラをまたはＶｏＩＰ通信に対する類似するベアラを確立することができ、無線ベアラ確立要求をドナーｅＮＢ１０２にダウンストリームで送信することができる。ドナーｅＮＢ１０２は、中継器ｅＮＢ１０４に要求を転送することができ、中継器ｅＮＢ１０４は、ＵＥ１１０と無線ベアラを確立することができる。コアネットワーク１０６はまた、ダウンリンク（ＤＬ）−トンネルエンドポイント識別子（ＴＥＩＤ）のような識別子を、ＵＥ１１０に対するＶｏＩＰサービスに関連するＥＰＳベアラに割り当てることができ、ベアラ確立要求とともに識別子を提供することができる。加えて、ベアラ確立コンポーネント２１２は、コアネットワーク１０６と通信するための、ドナーｅＮＢ１０２との無線ベアラを前もって確立することができた；１つの例では、確立した無線ベアラは、ＶｏＩＰパケットの通信に、および／または、類似するＱｏＳを必要とするサービスに関連する類似するパケットに、関連させることができる。
【００４３】
この点で、ベアラ関係付けコンポーネント２１４は、ＵＥ１１０から受信した、識別子に関連するパケットを、ドナーｅＮＢ１０２と確立している無線ベアラに相関させることができる。したがって、通信コンポーネント２１０は、識別子を含むことができるＶｏＩＰパケットをＵＥ１１０から受信することができる。例えば、識別子に基づいて、ベアラ関係付けコンポーネント２１４は、ドナーｅＮＢ１０２と確立している無線ベアラにパケットが関連していると決定することができる。説明したように、ＧＴＰ／ＩＰヘッダ割り当てコンポーネント２１６は、中継器ｅＮＢ１０４に関連するＰＧＷ／ＳＧＷへの、または、中継器ｅＮＢ１０４に関連するコアネットワーク１０６の他のコンポーネントへの、パケットのルーティングを促進するために、ＴＥＩＤおよび／または宛先ノードのＩＰアドレスを含むパケットに、ＧＴＰヘッダおよび／またはＵＤＰ／ＩＰヘッダを付加的に関係付けることができる。通信コンポーネント２１０は、関係付けられた無線ベアラを通して、ドナーｅＮＢ１０２にＶｏＩＰパケットを送信することができる。通信コンポーネント２０２は、中継器ｅＮＢ１０４との無線ベアラを通してパケットを取得することができ、トンネル関係付けコンポーネント２０６は、無線ベアラを通して受信したパケットに対するＧＴＰトンネルを見分けることができる。ＧＴＰ／ＩＰヘッダ割り当てコンポーネント２０８は、さらに、中継器ｅＮＢ１０４に関連するコアネットワーク１０６中のコンポーネントにパケットを転送するために、ＧＴＰヘッダおよび／またはＵＤＰ／ＩＰヘッダを、パケットに関係付けることができる。通信コンポーネント２０２は、コアネットワーク１０６の関連するコンポーネントにパケットを送信することができる。コアネットワーク１０６は、ここでさらに説明するように、ヘッダに少なくとも部分的に基づいて、（例えば、ＩＰアドレス、ＴＥＩＤ、および／または、これらに類するものにしたがって、）それにしたがって、パケットをルーティングすることができる。
【００４４】
図３を参照すると、示されているのは、ワイヤレス通信環境内で用いるためのワイヤレスネットワークコンポーネント３００である。ワイヤレスネットワークコンポーネント３００は、ゲートウェイとすることができ、または、他のデバイスがワイヤレスネットワークのコンポーネントにアクセスすることを可能にする他のコンポーネントとすることができる。例えば、ワイヤレスネットワークコンポーネント３００は、ＩＰアプリケーションレイヤを通して、（例えば、１つ以上の無線ネットワーク制御装置により）アクセスポイント等のような、１つ以上のデバイスと通信することができる。加えて、ワイヤレスネットワークコンポーネント３００は、ワイヤードリンクまたはワイヤレスリンクを通して、１つ以上のデバイスに接続することができる。さらに、ワイヤレスネットワークコンポーネント３００は、１つ以上のデバイスにワイヤレスネットワークアクセスを提供するために、他のゲートウェイ、移動性管理エンティティ（ＭＭＥ）、および／または、これらに類するものと通信することができる。
【００４５】
ワイヤレスネットワークコンポーネント３００は、１つ以上のデバイスと１つ以上の通信トンネルを確立するトンネル初期化コンポーネント３０２と、ＵＥにネットワークアクセスを提供することに関連するベアラ確立要求を発生させることができるベアラ確立要求コンポーネント３０４と、ＵＥとのベアラの確立が成功したか否かを決定することができるベアラステータス受信コンポーネント３０６とを備えることができる。ワイヤレスネットワークコンポーネント３００は、さらに、確立したベアラに関連するＤＬ−ＴＥＩＤのような識別子を取得する識別子決定コンポーネント３０８と、ＵＥおよびＴＥＩＤを通信トンネルに相関させるトンネル関係付けコンポーネント３１０と、１つ以上のデバイスおよび／またはアップストリームネットワークコンポーネントにデータを送信する、ならびに、１つ以上のデバイスおよび／またはアップストリームネットワークコンポーネントからデータを受信する通信コンポーネント３１２とを備えている。
【００４６】
例にしたがうと、トンネル初期化コンポーネント３０２は、中継器ｅＮＢまたは他のダウンストリームノードとの通信を促進するために、ドナーｅＮＢと通信トンネルを生成させることができる。例えば、トンネルは、ＧＴＰトンネルまたは類似するトンネルとすることができ、ＰＧＷ／ＳＧＷ、ＭＭＥ、および、これらに類するもののような、アップストリームノードから、要求を受信したときに生成させることができる。１つの例では、トンネル初期化コンポーネント３０２は、ドナーｅＮＢと、ワイヤレスネットワークコンポーネント３００に関連する中継器ｅＮＢとの間で確立された各無線ベアラに対応する、ドナーｅＮＢとのトンネルを生成させることができる。したがって、１つの例では、トンネル初期化コンポーネント３０２は、ドナーｅＮＢと中継器ｅＮＢとの間の無線ベアラ確立手順の間に、所定の無線ベアラに対応する、ドナーｅＮＢとのトンネルを確立することができる。
【００４７】
加えて、例えば、通信コンポーネント３１２は、中継器ｅＮＢにより担当されているＵＥに関連するＰＧＷ／ＳＧＷ、ＭＭＥ等のような、（示していない）異なるネットワークコンポーネントから、ベアラ確立要求を受信することがある。ベアラ確立要求コンポーネント３０４は、中継器ｅＮＢ（および／または、１つ以上の中間中継器ｅＮＢ）を通してＵＥと通信するドナーｅＮＢのような、１つ以上のデバイスに、ベアラ確立要求を転送することができる。ここで説明するように、１つの例では、ドナーｅＮＢおよび／または１つ以上の中間中継器ｅＮＢを介しての、ＵＥを担当する中継器ｅＮＢへの要求のルーティングを促進するために、ベアラ確立要求コンポーネント３０４は、ベアラ確立要求にヘッダを追加することができる。
【００４８】
ベアラステータス受信コンポーネント３０６は、ベアラの確立に関するステータスを後続して取得することができ、これは、通信コンポーネント３１２を通してドナーｅＮＢから受信することができる。ＵＥとのベアラ確立を試行する中継器ｅＮＢにより、ドナーｅＮＢにステータスを提供できることを正しく認識すべきである。ＵＥとベアラが確立されているとすてーたすが示している場合に、識別子決定コンポーネント３０８は、ＵＥにパケットを通信するための識別子を見分けることができる。説明したように、識別子は、ＤＬ−ＴＥＩＤまたは類似する識別子とすることができ、これは、ＰＧＷ／ＳＧＷ、ＭＭＥ、ドナーｅＮＢ、中継器ｅＮＢ、および／または、これらに類するものにより、少なくとも部分的に割り当てることができる。１つの例では、識別子決定コンポーネント３０８は、ベアラステータス受信コンポーネント３０６により受信したステータスから識別子を取り出すことができる。別の例では、ドナーｅＮＢが、異なるメッセージ中で、（例えば、中継器ｅＮＢからの要求の際に）ワイヤレスネットワークコンポーネント３００に識別子を提供することができる。
【００４９】
例では、説明するように、トンネル関係付けコンポーネント３１０は、ドナーｅＮＢと中継器ｅＮＢとの間の関連する無線ベアラに対応する、ドナーｅＮＢと確立したトンネルに、（例えば、受信したＩＰアドレスにより）ＵＥをおよび識別子を相関させることができる。１つの例では、関連する無線ベアラをステータス中でも指定することができ、ステータスは、通信コンポーネント３１２により、および／または、これらに類するものにより、ステータスを受信したアップリンクトンネルに少なくとも部分的に基づいて決定される。この点で、確立したベアラを通してのＵＥに対して向けられた後続する通信を、通信コンポーネント３１２により受信することができ、トンネル関係付けコンポーネント３１０は、（例えば、ここでさらに説明するように、識別子、１つ以上のヘッダのＳＤＦフィルタリング、および／または、これらに類するものに基づいて、）通信に対するトンネルを決定することができる。
【００５０】
別の例では、ＵＥに関連するＰＧＷ／ＳＧＷ、ＭＭＥ等は、中継器ｅＮＢと確立されているＵＥの無線ベアラに少なくとも部分的に基づいて、所定のＵＥに異なるＩＰアドレスを提供するように、マルチホーム化することができる。この点で、トンネル関係付けコンポーネント３１０は、通信コンポーネント３１２を通して受信したＵＥに対する通信に関連するトンネルを、ＩＰアドレスに基づいて、決定することができる。したがって、例えば、通信コンポーネント３１２は、異なるＩＰアドレスを有するＵＥに関連する異なる通信を付加的に受信することができ、トンネル関係付けコンポーネント３１０は、異なるトンネルに通信をマッピングすることができる。いずれのケースでも、ワイヤレスネットワークコンポーネント３００からの通信を受信したトンネルに少なくとも部分的に基づいて、その後、ドナーｅＮＢが、トンネルに関連する確立された適切な無線ベアラを通して、中継器ｅＮＢに通信をルーティングできることを正しく認識すべきである。これは、トンネル中で送信することに関連する（ＧＴＰヘッダのような）トンネルプロトコルヘッダをパケット中に挿入することを含むことができる。したがって、通信コンポーネント３１２は、トンネリングプロトコルヘッダを持つパケットをドナーｅＮＢに送信することができる。この点で、ＵＥへの通信に対するＱｏＳを提供することができる。
【００５１】
ここで図４を見ると、ワイヤレスネットワーク中のデバイスに提供するためのパケットを複数のゲートウェイ間でルーティングすることを促進する例示的なワイヤレス通信システム４００が示されている。システム４００は、１つ以上の異なるコンポーネントを通して、１つ以上のＵＥにＩＰレイヤ通信を提供するＵＥ ＰＧＷ／ＳＧＷ４０２を含んでいる。加えて、システム４００は、１つ以上の中継器ｅＮＢにＩＰレイヤ通信を同様に提供する中継器ＰＧＷ／ＳＧＷ４０４を含んでいる。システム４００は、中継器ｅＮＢ１０４（および／または他の中継器ｅＮＢ）に、（１つの例では、他のコンポーネントとともに）ＰＧＷ／ＳＧＷ４０２および４０４へのアクセスを提供するドナーｅＮＢ１０２を含んでいる。付加的に、説明したように、中継器ｅＮＢ１０４は、ドナーｅＮＢ１０２を通してのＰＧＷ／ＳＧＷ４０２および４０４へのアクセスを、１つ以上の付加的な中継器ｅＮＢおよび／またはＵＥに提供することができる。さらに、ドナーｅＮＢ１０２は、マクロセルアクセスポイント、フェムトセルアクセスポイント、ピコセルアクセスポイント、移動体基地局、および／または、これらに類するものとすることができる。説明したように、中継器ｅＮＢ１０４は、同様に、ワイヤレスまたはワイヤードのバックホールを通してドナーｅＮＢ１０２と通信する、移動性のまたは静的な中継器ノードとすることができる。
【００５２】
ＵＥ ＰＧＷ／ＳＧＷ４０２は、ＩＰレイヤを通してのワイヤレスネットワークアクセスの提供を促進するために、中継器ＰＧＷ／ＳＧＷ、ＭＭＥ、および／または、１つ以上の異なるネットワークコンポーネントにデータを送信することができる、ならびに／あるいは、中継器ＰＧＷ／ＳＧＷ、ＭＭＥ、および／または、１つ以上の異なるネットワークコンポーネントからデータを受信することができる通信コンポーネント４０６を備えている。ＵＥ ＰＧＷ／ＳＧＷ４０２はまた、ＩＰヘッダ中で示されているデバイスにルーティングするために、中継器ＰＧＷ／ＳＧＷへのおよび／または１つ以上のダウンストリームネットワークコンポーネントへの通信に、ＧＴＰヘッダおよび／またはＵＤＰ／ＩＰヘッダを関係付けることができるＧＴＰ／ＩＰヘッダ割り当てコンポーネント４０８と、区別されたサービス（ＤｉｆｆＳｅｒｖ）コードポイント（ＤＳＣＰ）を、または、ＩＰヘッダ中の他の類似するパラメータを含めることができるＤＳＣＰ指定コンポーネント４１０とを備えている。
【００５３】
中継器ＰＧＷ／ＳＧＷ４０４は、ＵＥ ＰＧＷ／ＳＧＷ、ＭＭＥ、ドナーｅＮＢ１０２等にデータを送信することができる、および／または、ＵＥ ＰＧＷ／ＳＧＷ、ＭＭＥ、ドナーｅＮＢ１０２等からデータを受信することができる通信コンポーネント４１２と、１つ以上の受信した通信のＩＰヘッダからパラメータを取得するＩＰヘッダパラメータ決定コンポーネント４１４とを備えている。中継器ＰＧＷ／ＳＧＷ４０４は、付加的に、パラメータに少なくとも部分的に基づいて、通信に関連するドナーｅＮＢとのＧＴＰトンネルを決定するＧＴＰトンネル関係付けコンポーネント４１６と、別のＧＴＰヘッダおよび／またはＵＤＰ／ＩＰヘッダを通信に関係付けるＧＴＰ／ＩＰヘッダ割り当てコンポーネント４１８とを備えている。
【００５４】
説明するように、例えば、ドナーｅＮＢ１０２は、中継器ＰＧＷ／ＳＧＷ４０４のような、１つ以上のコアネットワークコンポーネントへのアクセスを、中継器ｅＮＢ１０４に提供することができる。中継器ｅＮＢ１０４は、中継器ＰＧＷ／ＳＧＷ４０４とＩＰ通信を確立することができ、そこからＩＰアドレスを受信することができ、ドナーｅＮＢ１０２は、中継器ｅＮＢ１０４通信のために、中継器ＰＧＷ／ＳＧＷ４０４との１つ以上のＧＴＰトンネルを初期化することができる。同様に、中継器ｅＮＢ１０４は、ドナーｅＮＢ１０２を介しての、ＵＥ ＰＧＷ／ＳＧＷ４０２のような１つ以上のコアネットワークコンポーネントへのアクセスを、ＵＥ１１０に提供することができる。ＵＥ１１０は、ＵＥ ＰＧＷ／ＳＧＷ４０２とＩＰ通信を確立することができ、そこからＩＰアドレスを受信し、中継器ｅＮＢ１０４は、ＵＥ通信のために、ドナーｅＮＢ１０２と中継器ＰＧＷ／ＳＧＷ４０４とを通しての、ＵＥ ＰＧＷ／ＳＧＷ４０２との１つ以上のＧＴＰトンネルを初期化することができる。したがって、中継器ｅＮＢ１０４は、ＵＥ１１０からアップリンクＩＰ通信を受信することができる。中継器ｅＮＢ１０４は、ＵＥ ＰＧＷ／ＳＧＷ４０２へのトンネリングのためにＧＴＰヘッダおよび／またはＵＤＰ／ＩＰヘッダを追加することができ、ドナーｅＮＢ１０２に送信することができる。説明するように、同様に、ドナーｅＮＢ１０２は、中継器ＰＧＷ／ＳＧＷ４０４へのトンネリングのためにＧＴＰヘッダおよび／またはＵＤＰ／ＩＰヘッダを追加することができる。
【００５５】
しかしながら、加えて、中継器ｅＮＢ１０４は、複数のＵＥのそれぞれと複数の無線ベアラを確立することができ、中継器ｅＮＢ１０４がドナーｅＮＢ１０２と確立することができる無線ベアラの数に制限されることがある。この点で、中継器ｅＮＢ１０４は、複数の無線ベアラのそれぞれを、中継器ｅＮＢ１０４とドナーｅＮＢ１０２との間の無線ベアラにマッピングすることができる。１つの例では、中継器ｅＮＢ１０４は、中継器ｅＮＢ１０４とＵＥ１１０との間の無線ベアラを通して受信した通信のタイプ、ＱｏＳ、または、通信の１つ以上の付加的なパラメータ、または、ＵＥ１１０からの通信を受信した無線ベアラに少なくとも部分的に基づいて、無線ベアラを選択することができる。したがって、例えば、中継器ｅＮＢ１０４とドナーｅＮＢ１０２との間で確立されている１つ以上の無線ベアラを、ＱｏＳおよび／またはＤＳＣＰに関係付けることができる。別の例では、ＱｏＳまたはＤＳＣＰの範囲に１つ以上の無線ベアラを関係付けることができる。
【００５６】
中継器ｅＮＢ１０４は、ドナーｅＮＢ１０２との無線ベアラにＱｏＳまたはＤＳＣＰを割り当てることができ、コンフィギュレーション、仕様、またはハードコーディングの一部として割り当てを受信することができ、中継器ＰＧＷ／ＳＧＷ４０４によりベアラの確立が要求されたときに割り当てを受信することができ、および／または、これらに類するものであることを正しく認識すべきである。ＤＳＣＰは、通信の優先度、所望のまたは必要とされるＱｏＳ、ならびに／あるいは、類似するメトリックに基づいて決定される、６ビットまたは類似するサイズの値とすることができる。中継器ｅＮＢ１０４は、ＤＳＣＰ、ＱｏＳ要件等に基づいて、ＵＥ１１０との無線ベアラを通して受信した通信を、ドナーｅＮＢ１０２との無線ベアラを通して、ドナーｅＮＢ１０２に送信することができる。説明したように、ドナーｅＮＢ１０２は、ＧＴＰ／ＩＰヘッダを追加することができ、中継器ｅＮＢ１０４からの通信を受信した無線ベアラに少なくとも部分的に基づいて、中継器ＰＧＷ／ＳＧＷ４０４に通信を転送することができる。説明するように、中継器ＰＧＷ／ＳＧＷ４０４は、中継器ｅＮＢ１０４により追加されたヘッダに少なくとも部分的に基づいて、ＵＥ ＰＧＷ／ＳＧＷ４０２に通信を転送することができる。
【００５７】
例にしたがうと、通信コンポーネント４０６は、（例えば、アップストリームネットワークコンポーネントや、異なるＰＧＷ／ＳＧＷから、パケットを受信することにより、パケットを発生させることにより、および／または、これらに類することにより、）ＵＥ１１０に対するダウンリンクＩＰパケットを取得することができる。ＧＴＰ／ＩＰヘッダ割り当てコンポーネント４０８は、ＵＥ１１０へのパケットのルーティングを促進するために、ＧＴＰヘッダおよび／またはＵＤＰ／ＩＰヘッダをパケットに関係付けることができる。例えば、ＧＴＰヘッダは、中継器ｅＮＢ１０４に関連するＴＥＩＤを含むことができる。例では、ＵＥ１１０と中継器ｅＮＢ１０４との間の無線ベアラの識別を促進するために、ＵＥ ＰＧＷ／ＳＧＷ４０２により、または、異なるネットワークコンポーネントにより、割り当てられたＤＬ−ＴＥＩＤに、ＴＥＩＤが関連することがある。同様に、例えば、ＵＤＰ／ＩＰヘッダは、ＵＥ ＰＧＷ／ＳＧＷ４０２により割り当てられた、ＵＥ１１０に対するアドレスを含むことができる。
【００５８】
さらに、例えば、ＤＳＣＰ指定コンポーネント４１０は、パケットに対するＱｏＳを提供する区別されたサービスアーキテクチャを適用するために、ＤＳＣＰまたは１つ以上の異なるパラメータをＩＰヘッダ中に設定することができる。１つの例では、ＩＰヘッダは、ＤＳＣＰを含むことができる、サービスフィールドのタイプを含むＩＰバージョン４（ＩＰｖ４）ヘッダとすることができる。同様に、ＩＰヘッダは、ＤＳＣＰを含む、トラフィッククラスフィールドを含むＩＰバージョン６（ＩＰｖ６）ヘッダとすることができる。この点で、パケットは、以下に類似するプロトコル構造を有することがある。
【表４】
0005536195.tif 000005
【００５９】
通信コンポーネント４０６は、（例えば、ワイヤードバックホールまたは類似するコアネットワーク接続を通して、）中継器ＰＧＷ／ＳＧＷ４０４にパケットを送信することができる。
【００６０】
通信コンポーネント４１２は、ＵＥ ＰＧＷ／ＳＧＷ４０２からパケットを受信することができる。ＩＰヘッダパラメータ決定コンポーネント４１４は、ＩＰアドレス、ＤＳＣＰ、または、類似するパラメータ等のような、パケットのＩＰヘッダ中の１つ以上のパラメータを見分けることができる。ＩＰアドレスおよび／またはＤＳＣＰに少なくとも部分的に基づいて、ＧＴＰトンネル関係付けコンポーネント４１６は、パケットと、ドナーｅＮＢ１０２のＧＴＰトンネルとをマッチングさせることができ、説明したように、ドナーｅＮＢ１０２のＧＴＰトンネルは、中継器ｅＮＢ１０４とドナーｅＮＢ１０２との間の無線ベアラに対応している。加えて、ＧＴＰ／ＩＰヘッダ割り当てコンポーネント４１８は、ドナーｅＮＢ１０２を通してのパケットのトンネリングを促進するために、ＧＴＰヘッダおよび／またはＵＤＰ／ＩＰヘッダをパケットに追加することができる。したがって、例えば、パケットは、以下に類似するプロトコル構造を有することがある。
【表５】
0005536195.tif 000006
【００６１】
通信コンポーネント４１２は、ＧＴＰトンネルを通して、ドナーｅＮＢ１０２にパケットを送信することができる。ドナーｅＮＢ１０２は、（例えば、ＩＰヘッダに基づいて、）パケットが中継器ｅＮＢ１０４に関連していると決定することができ、パケットを受信したＧＴＰトンネルに関連する無線ベアラを通して、パケットの少なくとも一部分を中継器ｅＮＢ１０４に送信することができる。例えば、ドナーｅＮＢ１０２は、ドナーｅＮＢ１０２に関連するＧＴＰヘッダおよびＵＤＰ／ＩＰヘッダを除去することができ、中継器ｅＮＢ１０４に残りのパケットを送信することができる。したがって、例えば、中継器ｅＮＢ１０４において受信したときには、パケットは、以下に類似するプロトコル構造を有することがある。
【表６】
0005536195.tif 000007
【００６２】
中継器ｅＮＢ１０４は、同様に、パケットを受信し、中継器ｅＮＢ１０４に関連するＵＤＰ／ＩＰヘッダおよびＧＴＰヘッダを除去し、（例えば、ＵＥ１１０に関連するＩＰパケットヘッダ中のＩＰアドレスに少なくとも部分的に基づいて、）ＵＥに転送することができる。加えて、例えば、中継器ｅＮＢ１０４は、ＧＴＰヘッダ中で指定されているＴＥＩＤに少なくとも部分的に基づいて、ＵＥ１１０にパケットを送信するための無線ベアラを選択することができる。
【００６３】
例では、ＵＥ１１０は、中継器ｅＮＢ１０４にＶｏＩＰパケットを送信することができる。中継器ｅＮＢ１０４は、ＧＴＰヘッダおよび／またはＵＤＰ／ＩＤヘッダをパケットに追加し、ＶｏＩＰ通信をまたは類似するＱｏＳを必要とする他の通信を通信することに関連する無線ベアラを通して、ドナーｅＮＢ１０２にパケットを通信することができる。ドナーｅＮＢ１０２は、例えば、無線ベアラに関係付けられているＧＴＰトンネルを使用して、中継器ＰＧＷ／ＳＧＷ４０４に通信をトンネルすることができる。説明するように、中継器ＰＧＷ／ＳＧＷ４０４は、パケットを受信して、１つ以上のヘッダに基づいて、ＵＥ ＰＧＷ／ＳＧＷに転送することができる。通信コンポーネント２０２は、応答するパケットをまたはＵＥ１１０とのＶｏＩＰ通信に関連する他のパケットを、アップストリームノードから、ＭＭＥから、異なるＰＧＷ／ＳＧＷから、および／または、これらに類するものから、受信することができる。ＧＴＰ／ＩＰヘッダ割り当てコンポーネント４０８は、ＵＥ１１０にパケットをルーティングするために、応答するパケットに、ＧＴＰヘッダおよび／またはＵＤＰ／ＩＰヘッダを関係付けることができる。さらに、ＤＳＣＰ指定コンポーネント４１０は、ＤＳＣＰをまたはＶｏＩＰ通信に関連する類似パラメータをＩＰヘッダ中に含めることができる。１つの例では、ＤＳＣＰ指定コンポーネント４１０は、パケット中のＤＬ−ＴＥＩＤ、パケットに関連するコアネットワークベアラ、および／または、これらに類するものに少なくとも部分的に基づいて、ＱｏＳをまたはパケットの通信タイプを決定することができる。通信コンポーネント４０６は、中継器ＰＧＷ／ＳＧＷ４０４にパケットを送信することができる。
【００６４】
通信コンポーネント４１２は、パケットを取得することができる。ＩＰヘッダパラメータ決定コンポーネント４１４は、ＤＳＣＰまたは類似するパラメータを抽出して、パケットに対するＧＴＰトンネルを決定することができる。ＤＳＣＰまたは類似するパラメータが、ＶｏＩＰに関連するパケットを示すので、ＧＴＰトンネル関係付けコンポーネント４１６は、ＶｏＩＰ通信にまたは類似するＱｏＳを持つ通信に対応する中継器ｅＮＢ１０４とドナーｅＮＢ１０２との間の無線ベアラに関係付けられているＧＴＰトンネルを選択することができる。説明するように、ＧＴＰ／ＩＰヘッダ割り当てコンポーネント４１８は、さらに、中継器ｅＮＢ１０４にパケットをルーティングするために、ＧＴＰヘッダおよび／またはＵＤＰ／ＩＰヘッダを含めることができる。通信コンポーネント４１２は、中継器ｅＮＢ１０４に送信するために、ドナーｅＮＢ１０２にパケットをトンネルすることができる。例えば、ドナーｅＮＢ１０２は、ＧＴＰトンネルに関連する無線ベアラを通して、中継器ｅＮＢ１０４に送信することができる。中継器ｅＮＢ１０４は、ＧＴＰ／ＩＰヘッダ割り当てコンポーネント４０８により提供されたＵＤＰ／ＩＰヘッダ、ＵＥ１１０と中継器ｅＮＢ１０４との間のベアラに関連するＴＥＩＤ、および／または、これらに類するものに基づいて、ＵＥ１１０にパケットを転送することができる。
【００６５】
図５を参照すると、ＳＤＦフィルタリングを使用して、ワイヤレスネットワーク中のデバイスに提供するためのパケットを複数のゲートウェイ間でルーティングすることを促進する例示的なワイヤレス通信システム５００が示されている。システム５００は、１つ以上の異なるコンポーネントを通して、１つ以上のＵＥにＩＰレイヤ通信を提供するＵＥ ＰＧＷ／ＳＧＷ４０２を含んでいる。加えて、システム５００は、１つ以上の中継器ｅＮＢに同様にＩＰレイヤ通信を提供する中継器ＰＧＷ／ＳＧＷ４０４を含んでいる。システム５００は、中継器ｅＮＢ１０４（および／または、他の中継器ｅＮＢ）に、（１つの例では、他のコンポーネントとともに）ＰＧＷ／ＳＧＷ４０２および４０４へのアクセスを提供するドナーｅＮＢ１０２を含んでいる。付加的に、説明したように、中継器ｅＮＢ１０４は、１つ以上の付加的な中継器ｅＮＢおよび／またはＵＥ１１０のようなＵＥに、ドナーｅＮＢ１０２を通してのＰＧＷ／ＳＧＷ４０２および４０４へのアクセスを提供することができる。さらに、ドナーｅＮＢ１０２は、マクロセルアクセスポイント、フェムトセルアクセスポイント、ピコセルアクセスポイント、移動体基地局、および／または、これらに類するものとすることができる。説明したように、中継器ｅＮＢ１０４は、同様に、ワイヤレスまたはワイヤードのバックホールを通してドナーｅＮＢ１０２と通信する、移動性のまたは静的な中継器ノードとすることができる。
【００６６】
ＵＥ ＰＧＷ／ＳＧＷ４０２は、ＩＰレイヤを通してのワイヤレスネットワークアクセスを提供することを促進するために、中継器ＰＧＷ／ＳＧＷ、ＭＭＥ、および／または、１つ以上の異なるネットワークコンポーネントにデータを送信することができ、ならびに／あるいは、中継器ＰＧＷ／ＳＧＷ、ＭＭＥ、および／または、１つ以上の異なるネットワークコンポーネントからデータを受信することができる通信コンポーネント４０６を備えている。ＵＥ ＰＧＷ／ＳＧＷ４０２はまた、ＩＰヘッダ中で示されているデバイスにルーティングするために、中継器ＰＧＷ／ＳＧＷへのおよび／または１つ以上のダウンストリームネットワークコンポーネントへの通信に、ＧＴＰヘッダおよび／またはＵＤＰ／ＩＰヘッダを関係付けることができるＧＴＰ／ＩＰヘッダ割り当てコンポーネント４０８と、ＤＬ−ＴＥＩＤをまたは通信におけるデバイスのアタッチメントの際に受信した他の識別子を含めることができるＤＬ−ＴＥＩＤ指定コンポーネント５０２とを備えている。
【００６７】
中継器ＰＧＷ／ＳＧＷ４０４は、ＵＥ ＰＧＷ／ＳＧＷ、ＭＭＥ、ドナーｅＮＢ等にデータを送信することができ、および／または、ＵＥ ＰＧＷ／ＳＧＷ、ＭＭＥ、ドナーｅＮＢ等からデータを受信することができる通信コンポーネント４１２と、受信したパケットの１つ以上のヘッダからＮ−タプルを取得するＮ−タプル受信コンポーネント５０４とを備えている。中継器ＰＧＷ／ＳＧＷ４０４は、付加的に、Ｎ−タプルに少なくとも部分的に基づいて、バックホールリンクを通して（例えば、ＧＴＰトンネルにパケットをルーティングすることにより）、パケットのＱｏＳを指定することができるＳＤＦフィルタリングコンポーネント５０６と、別のＧＴＰヘッダおよび／またはＵＤＰ／ＩＰヘッダを通信に関係付けるＧＴＰ／ＩＰヘッダ割り当てコンポーネント４１８とを備えている。
【００６８】
中継器ｅＮＢ１０４は、１つ以上のアップストリームｅＮＢおよび／またはＵＥにデータを送信する、ならびに／あるいは、１つ以上のアップストリームｅＮＢおよび／またはＵＥからデータを受信する通信コンポーネント５０８と、ＳＤＦフィルタおよび／またはそれに関連する１つ以上のパラメータを、中継器ｅＮＢ１０４に関連する中継器ＰＧＷ／ＳＧＷから取得するＳＤＦフィルタパラメータ受信コンポーネント５１０とを備えている。中継器ｅＮＢ１０４は、さらに、ＳＤＦフィルタおよび／または１つ以上のパラメータに少なくとも部分的に基づいて、ＵＥから受信した１つ以上のパケットを、１つ以上のアップストリームｅＮＢと確立している１つ以上のベアラにルーティングするＳＤＦフィルタリングコンポーネント５１２と、別のＧＴＰヘッダおよび／またはＵＤＰ／ＩＰヘッダを通信に関係付けるＧＴＰ／ＩＰヘッダ割り当てコンポーネント４１８とを備えている。
【００６９】
説明したように、例にしたがうと、通信コンポーネント４０６は、（例えば、アップストリームネットワークコンポーネントや、異なるＰＧＷ／ＳＧＷから、パケットを受信することにより、パケットを発生させることにより、および／または、これらに類することにより、）ＵＥ１１０に対するダウンリンクパケットを取得することができる。ＧＴＰ／ＩＰヘッダ割り当てコンポーネント４０８は、ＵＥ１１０へのパケットのルーティングを促進するために、ＧＴＰヘッダおよび／またはＵＤＰ／ＩＰヘッダをパケットに関係付けることができる。例えば、ＩＰヘッダは、ＵＥ ＰＧＷ／ＳＧＷ４０２により割り当てられた、ＵＥ１１０に対するＩＰアドレスを含むことができる。加えて、ＤＬ−ＴＥＩＤ指定コンポーネント５０２は、ＵＥ１１０に関連するＤＬ−ＴＥＩＤをＧＴＰヘッダ中に含めることができる。説明したように、例えば、ＵＥ ＰＧＷ／ＳＧＷ４０２は、中継器ＰＧＷ／ＳＧＷ４０４がドナーｅＮＢ１０２等から受信すること等ができるＤＬ−ＴＥＩＤを、ベアラ確立手順（例えば、説明したような、ステータスメッセージ）の一部として、中継器ＰＧＷ／ＳＧＷ４０４から受信することができる。したがって、上記で説明したように、ＤＬ−ＴＥＩＤは、中継器ｅＮＢ１０４とＵＥ１１０との間で確立されている無線ベアラにさらに詳細に関連することができる。この点で、ＤＬ−ＴＥＩＤ指定コンポーネント５０２は、（例えば、ＵＥ１１０に関連することがある）パケット中のＩＰアドレス、トラフィックのタイプ、関連するアップリンクパケット中で指定されている１つ以上の識別子、および／または、これらに類するものに少なくとも部分的に基づいて、パケットに対するＤＬ−ＴＥＩＤを決定することができる。
【００７０】
通信コンポーネント４０６は、（例えば、ワイヤードバックホールまたは類似するコアネットワーク接続を通して、）中継器ＰＧＷ／ＳＧＷ４０４にパケットを送信することができる。通信コンポーネント４１２は、ＵＥ ＰＧＷ／ＳＧＷ４０２からパケットを受信することができる。Ｎ−タプル受信コンポーネント５０４は、パケットの１つ以上のヘッダからＮ−タプル（例えば、Ｎが正の整数である、順序付けられているリストのうちのＮ個のエレメント）を決定することができる。例えば、Ｎは６とすることができ、したがって、Ｎ−タプル受信コンポーネント５０４は、パケットから６−タプルを取得して、処理することができる。例えば、６−タプルは、ＩＰヘッダと、ユーザデータグラムプロトコル（ＵＤＰ）ヘッダと、ＧＴＰヘッダとからの、発信元ＩＰアドレス、宛先ＩＰアドレス、発信元ポート番号、宛先ポート番号、プロトコル、および、ＤＬ−ＴＥＩＤに対応することがある。この点で、ＳＤＦフィルタリングコンポーネント５０６は、上記のパラメータを含む３つのヘッダからの６−タプルを処理することができるＳＤＦフローフィルタに対する予め規定されたポリシーおよびチャージング制御（ＰＣＣ）ルールを含むことがある。ＳＤＦフィルタリングコンポーネント５０６は、例えば、ＳＤＦフローフィルタを使用して、処理した６−タプルをＱｏＳ（または、関連するトンネル）に関係付けることができる。例えば、ＳＤＦフローフィルタは、ＱｏＳを識別するために使用する１組のＩＰヘッダパラメータ値および／または範囲（例えば、６−タプル）に関連することがあり、これは、ＳＤＦを構築する１つ以上のパケットフロー（例えば、トンネル）を決定することを含むことができる。
【００７１】
加えて、例えば、中継器ｅＮＢ１０４は、無線ベアラを確立するための要求を受信したときに、ＵＥに対するＤＬ−ＴＥＩＤと、中継器ｅＮＢ１０４とのその関連する無線ベアラとを予め割り振ることができる。中継器ｅＮＢ１０４は、さらに、ＵＥ１１０に関連する６−タプル（発信元ＩＰアドレス、宛先ＩＰアドレス、発信元ポート番号、宛先ポート番号、プロトコル、および、ＤＬ−ＴＥＩＤを含む）と、中継器ｅＮＢ１０４とのその無線ベアラとを中継器ＰＧＷ／ＳＧＷ４０４に送信することができる。したがって、ＳＤＦフィルタリングコンポーネント５０６は、（例えば、ＳＤＦフローフィルタ中の）受信した６−タプルを、中継器ｅＮＢ１０４とドナーｅＮＢ１０２との間で確立されている無線ベアラに対応するＧＴＰトンネルに関係付けることができる（例えば、６−タプルでまたは関連するメッセージで送られた、ＧＴＰトンネルの識別子に基づいて、６−タプルを受信したＧＴＰトンネルを決定する等）。したがって、いったん、Ｎ−タプル受信コンポーネント５０４が６−タプルを処理すると、ＳＤＦフィルタリングコンポーネント５０６は、６−タプル対ＧＴＰトンネルの関係に基づいて、６−タプルに対する関連するＧＴＰトンネルを決定することができる。以前に説明したように、ＧＴＰ／ＩＰヘッダ割り当てコンポーネント４１８は、ドナーｅＮＢ１０２へのルーティングを促進するために、ＧＴＰヘッダおよび／またはＵＤＰ／ＩＰヘッダをパケットに追加することができ、通信コンポーネント４１２は、ドナーｅＮＢ１０２を介して、ＧＴＰトンネルを通して、中継器ｅＮＢ１０４にパケットを送信することができる。
【００７２】
加えて、例えば、ＳＤＦフィルタリングコンポーネント５０６は、アップリンクパケットに対する類似するフィルタリングを促進するために、ＳＤＦフィルタに関連するパラメータを中継器ｅＮＢ１０４に提供することができる。ＳＤＦフィルタパラメータ受信コンポーネント５１０は、パラメータを取得することができ、ＳＤＦフィルタリングコンポーネント５１２は、ＳＤＦフィルタにより示されている関係するＧＴＰトンネルに関連する無線ベアラを通して、通信コンポーネント５０８においてＵＥ１１０から受信した、ドナーｅＮＢ１０２へのパケットをフィルタリングすることができる。別の例では、上記で説明したように、中継器ＰＧＷ／ＳＧＷ４０４に６−タプルを提供した際に、ＳＤＦフィルタリングコンポーネント５０６が、６−タプルをＧＴＰトンネルに関係付けることができ、ＧＴＰトンネルおよび／またはドナーｅＮＢ１０２と中継器ｅＮＢ１０４との間で確立されている関係する無線ベアラのパラメータを、（例えば、ドナーｅＮＢを介して、）中継器ｅＮＢ１０４に提供することができる。ＳＤＦフィルタパラメータ受信コンポーネント５１０は、パラメータを取得することができ、ＳＤＦフィルタリングコンポーネント５１２は、（例えば、発信元パラメータと宛先パラメータをスイッチしている）類似する６−タプルまたはその一部にパラメータを関係付けることができる。したがって、通信コンポーネント５０８は、ＵＥ１１０からパケットを受信することができる。ＳＤＦフィルタリングコンポーネント５１２は、パケットのヘッダ中の５−タプル（例えば、発信元ＩＰアドレス、宛先ＩＰアドレス、発信元ポート番号、宛先ポート番号、および、プロトコル）と、パケットに関連する決定されたＤＬ−ＴＥＩＤとに基づいて、ドナーｅＮＢ１０２にパケットを送信するための無線ベアラを選択することができる。以前に説明したように、ＧＴＰ／ＩＰヘッダ割り当てコンポーネント５１４は、ＧＴＰヘッダおよび／またはＵＤＰ／ＩＰヘッダをパケットに関係付けることができ、通信コンポーネント５０８は、中継器ＰＧＷ／ＳＧＷ４０４を通してＵＥ ＰＧＷ／ＳＧＷ４０２に提供するためのパケットを、ドナーｅＮＢ１０２に送信することができる。
【００７３】
ここで図６を見ると、内部ＩＰヘッダに対するＳＤＦフィルタリングを使用して、ワイヤレスネットワーク中のデバイスに提供するためのパケットを複数のゲートウェイ間でルーティングすることを促進する例示的なワイヤレス通信システム６００が示されている。システム６００は、１つ以上の異なるコンポーネントを通して１つ以上のＵＥにＩＰレイヤ通信を提供するＵＥ ＰＧＷ／ＳＧＷ４０２を含んでいる。加えて、システム６００は、１つ以上の中継器ｅＮＢにＩＰレイヤ通信を同様に提供する中継器ＰＧＷ／ＳＧＷ４０４を含んでいる。システム６００は、中継器ｅＮＢ１０４（および／または、他の中継器ｅＮＢ）に、ＰＧＷ／ＳＧＷ４０２および４０４（とともに、１つの例では、他のコンポーネント）へのアクセスを提供するドナーｅＮＢ１０２を含んでいる。付加的に、説明したように、中継器ｅＮＢ１０４は、１つ以上の付加的な中継器ｅＮＢおよび／またはＵＥ１１０のようなＵＥに、ドナーｅＮＢ１０２を通してのＰＧＷ／ＳＧＷ４０２および４０４へのアクセスを提供することができる。さらに、ドナーｅＮＢ１０２は、マクロセルアクセスポイント、フェムトセルアクセスポイント、ピコセルアクセスポイント、移動体基地局、および／または、これらに類するものとすることができる。説明したように、中継器ｅＮＢ１０４は、同様に、ワイヤレスまたはワイヤードのバックホールを通してドナーｅＮＢ１０２と通信する、移動性のまたは静的な中継器ノードとすることができる。
【００７４】
ＵＥ ＰＧＷ／ＳＧＷ４０２は、ＩＰレイヤを通してのワイヤレスネットワークアクセスを提供することを促進するために、中継器ＰＧＷ／ＳＧＷ、ＭＭＥ、および／または、１つ以上の異なるネットワークコンポーネントにデータを送信することができ、ならびに／あるいは、中継器ＰＧＷ／ＳＧＷ、ＭＭＥ、および／または、１つ以上の異なるネットワークコンポーネントからデータを受信することができる通信コンポーネント４０６と、ＳＤＦを使用して異なるＰＧＷ／ＳＧＷへのパケットをフィルタリングするための１つ以上のパラメータを、（例えば、通信コンポーネント４０６または他のものを介して、）送信することができるＳＤＦフィルタパラメータ提供コンポーネント６０２とを備えている。ＵＥ ＰＧＷ／ＳＧＷ４０２はまた、ＩＰヘッダ中で示されているデバイスにルーティングするために、中継器ＰＧＷ／ＳＧＷおよび／または１つ以上のダウンストリームネットワークコンポーネントへの通信に、ＧＴＰヘッダおよび／またはＵＤＰ／ＩＰヘッダを関係付けることができるＧＴＰ／ＩＰヘッダ割り当てコンポーネント４０８と、ＤＬ−ＴＥＩＤをまたは通信におけるデバイスのアタッチメントの際に受信した他の識別子を含めることができるＤＬ−ＴＥＩＤ指定コンポーネント５０２とを備えている。
【００７５】
中継器ＰＧＷ／ＳＧＷ４０４は、ＵＥ ＰＧＷ／ＳＧＷ、ＭＭＥ、ドナーｅＮＢ等にデータを送信することができ、および／または、ＵＥ ＰＧＷ／ＳＧＷ、ＭＭＥ、ドナーｅＮＢ等からデータを受信することができる通信コンポーネント４１２と、ＳＤＦフィルタを使用して１つ以上のパケットに対するＱｏＳを決定することに関連する１つ以上のパラメータを（例えば、通信コンポーネント４１２または他のものを介して）取得するＳＤＦフィルタパラメータ受信コンポーネント６０４とを備えている。中継器ＰＧＷ／ＳＧＷ４０４は、付加的に、ＳＤＦフィルタパラメータに少なくとも部分的に基づいて、ＧＴＰトンネルにパケットをルーティングすることができるＳＤＦフィルタリングコンポーネント５０６と、別のＧＴＰヘッダおよび／またはＵＤＰ／ＩＰヘッダを通信に関係付けるＧＴＰ／ＩＰヘッダ割り当てコンポーネント４１８とを含んでいる。
【００７６】
中継器ｅＮＢ１０４は、１つ以上のアップストリームｅＮＢおよび／またはＵＥにデータを送信する、ならびに／あるいは、１つ以上のアップストリームｅＮＢおよび／またはＵＥからデータを受信する通信コンポーネント５０８と、中継器ｅＮＢ１０４に関連する中継器ＰＧＷ／ＳＧＷから、ＳＤＦフィルタおよび／またはそれに関連する１つ以上のパラメータを取得するＳＤＦフィルタパラメータ受信コンポーネント５１０とを備えている。中継器ｅＮＢ１０４は、さらに、ＳＤＦフィルタおよび／または１つ以上のパラメータに少なくとも部分的に基づいて、ＵＥから受信した１つ以上のパケットを、１つ以上のアップストリームｅＮＢと確立されている１つ以上のベアラにルーティングするＳＤＦフィルタリングコンポーネント５１２と、別のＧＴＰヘッダおよび／またはＵＤＰ／ＩＰヘッダを通信に関係付けるＧＴＰ／ＩＰヘッダ割り当てコンポーネント４１８とを備えている。
【００７７】
例にしたがうと、中継器ｅＮＢ１０４は、説明したように、ＵＥ１１０とベアラを確立し、これにより、ＵＥ１１０および／または確立したベアラに対するＩＰアドレスおよび／またはＵＤＰ情報を、ＵＥ ＰＧＷ／ＳＧＷ４０２によって発生させることができる。説明したように、ＵＥ ＰＧＷ／ＳＧＷ４０２は、中継器ＰＧＷ／ＳＧＷ４０４、ドナーｅＮＢ１０２、中継器ｅＮＢ１０４等を通して、ＵＥ１１０にアドレスおよび／または情報を通信することができる。加えて、ＳＤＦフィルタパラメータ提供コンポーネント６０２は、１つ以上のパケットに対するＱｏＳを提供するために、ＵＥ１１０に関連するＩＰアドレス、ＵＤＰ情報等をＳＤＦフィルタに対する１つ以上のパラメータとして送信することができる。１つの例では、これは、発信元ＩＰアドレス、宛先ＩＰアドレス、発信元ポート番号、宛先ポート番号、および、プロトコルを含む５−タプルとすることができる。ＳＤＦフィルタパラメータ受信コンポーネント６０４は、パラメータを取得し、ＳＤＦフィルタリングコンポーネント５０６は、中継器ｅＮＢ１０４とＵＥ１１０との間で確立されているベアラに関連するＧＴＰトンネルに、パラメータを関係付けることができる。説明したように、ＧＴＰトンネルは、中継器ｅＮＢ１０４とＵＥ１１０との間で確立されている無線ベアラに対して望ましいまたは必要とされるＱｏＳを提供するための、ドナーｅＮＢ１０２と中継器ｅＮＢ１０４との間の無線ベアラに対応する、中継器ＰＧＷ／ＳＧＷ４０２とドナーｅＮＢ１０２との間のＧＴＰトンネルに関連することができる。
【００７８】
説明したように、この点で、通信コンポーネント４０６は、（例えば、アップストリームネットワークコンポーネントや、異なるＰＧＷ／ＳＧＷから、パケットを受信することにより、パケットを発生させることにより、および／または、これらに類することにより、）後続して、ＵＥ１１０に対するダウンリンクパケットを取得することができる。ＧＴＰ／ＩＰヘッダ割り当てコンポーネント４０８は、ＵＥ１１０へのパケットのルーティングを促進するために、ＧＴＰヘッダおよび／またはＵＤＰ／ＩＰヘッダをパケットに関係付けることができる。例えば、ＩＰヘッダは、ＵＥ ＰＧＷ／ＳＧＷ４０２により割り当てられた、ＵＥ１１０に対するＩＰアドレスを含むことができる。加えて、ＤＬ−ＴＥＩＤ指定コンポーネント５０２は、ＵＥ１１０に関連するＤＬ−ＴＥＩＤをＧＴＰヘッダ中に含めることができる。説明したように、例えば、ＵＥ ＰＧＷ／ＳＧＷ４０２は、中継器ＰＧＷ／ＳＧＷ４０４がドナーｅＮＢ１０２から受信すること等ができるＤＬ−ＴＥＩＤを、ベアラ確立ステータスの一部として、中継器ＰＧＷ／ＳＧＷ４０４から受信することができる。したがって、上記で説明したように、ＤＬ−ＴＥＩＤは、中継器ｅＮＢ１０４とＵＥ１１０との間で確立されている無線ベアラにさらに詳細に関連することができる。この点で、ＤＬ−ＴＥＩＤ指定コンポーネント５０２は、（ＵＥ１１０に関連することができる）パケット中のＩＰアドレスや、ＵＥ１１０と中継器ｅＮＢ１０４との間の関係付けられている無線ベアラや、トラフィックのタイプや、関連するアップリンクパケット中で指定されている１つ以上の識別子や、および／または、これらに類するものに少なくとも部分的に基づいて、パケットに対するＤＬ−ＴＥＩＤを決定することができる。
【００７９】
通信コンポーネント４０６は、（例えば、ワイヤードバックホールまたは類似するコアネットワーク接続を通して、）中継器ＰＧＷ／ＳＧＷ４０４に対してパケットを送信することができる。通信コンポーネント４１２は、ＵＥ ＰＧＷ／ＳＧＷ４０２からパケットを受信することができる。ＳＤＦフィルタリングコンポーネント５０６は、パケットから最も内側のヘッダ（例えば、パケットデータに最も近いヘッダ）を決定することができる。説明したように、中継器ＰＧＷ／ＳＧＷ４０４に到達したときには、パケットは、ＵＥ ＰＧＷ／ＳＧＷ４０２や、１つ以上の付加的なＰＧＷ／ＳＧＷ等により挿入された複数のヘッダを含んでいることがある。例では、パケットは、以下のヘッダフォーマットを有することがある。
【表７】
0005536195.tif 000008
【００８０】
ＳＤＦフィルタリングコンポーネント５０６は、外側のＩＰ／ＵＤＰヘッダをスキップして、ＵＥ ＰＧＷ／ＳＧＷ４０２において受信したようなＩＰパケットのヘッダにＳＤＦフィルタを適用することができる。上記で説明したように、この点で、受信したようなＩＰパケットは、ＳＤＦフィルタパラメータ受信コンポーネント６０４によりＳＤＦフィルタパラメータとして以前に受信したパラメータを含むことがある。したがって、ＳＤＦフィルタリングコンポーネント５０６は、ＳＤＦフィルタパラメータ受信コンポーネント６０４により受信したものに、最も内側のヘッダのパラメータ（例えば、５−タプル）をマッチングさせることに少なくとも部分的に基づいて、ＧＴＰトンネルにパケットを関係付けることができる。説明したように、ＧＴＰ／ＩＰヘッダ割り当てコンポーネント４１８は、ドナーｅＮＢ１０２へのルーティングを促進するために、ＧＴＰヘッダおよび／またはＵＤＰ／ＩＰヘッダをパケットに追加することができ、通信コンポーネント４１２は、ＧＴＰトンネルを通して、ドナーｅＮＢ１０２を介して、中継器ｅＮＢ１０４にパケットを送信することができる。
【００８１】
加えて、例えば、ＳＤＦフィルタリングコンポーネント５０６はさらに、アップリンクパケットに対する類似するフィルタリングを促進するために、中継器ｅＮＢ１０４に、受信したＳＤＦフィルタパラメータを提供することができる。説明したように、ＳＤＦフィルタパラメータ受信コンポーネント５１０は、パラメータを取得することができ、ＳＤＦフィルタリングコンポーネント５１２は、ＳＤＦフィルタにより示されている関係付けられているＧＴＰトンネルに関連する無線ベアラを通して、通信コンポーネント５０８においてＵＥ１１０から受信した、ドナーｅＮＢ１０２へのパケットをフィルタリングすることができる。例えば、中継器ＰＧＷ／ＳＧＷ４０４から受信した所定の５−タプルに対して、ＳＤＦフィルタパラメータ受信コンポーネント５１０は、（例えば、発信元情報と宛先情報を逆にしている）類似する５−タプルを生成させることができる。ＳＤＦフィルタリングコンポーネント５１２は、ＧＴＰトンネルに関係付けられている無線ベアラに、類似する５−タプルを関係付けることができる。したがって、通信コンポーネント５０８は、ＵＥ１１０からパケットを受信することができる。ＳＤＦフィルタリングコンポーネント５１２は、パケットのヘッダ中の５−タプルに基づいて、ドナーｅＮＢ１０２にパケットを送信するための無線ベアラを選択することができる。説明したように、ＧＴＰ／ＩＰヘッダ割り当てコンポーネント５１４は、ＧＴＰヘッダおよび／またはＵＤＰ／ＩＰヘッダをパケットに関係付けることができ、通信コンポーネント５０８は、中継器ＰＧＷ／ＳＧＷ４０４を通してＵＥ ＰＧＷ／ＳＧＷ４０２に提供するためのパケットをドナーｅＮＢ１０２に対して送信することができる。
【００８２】
図７は、変化するＵＤＰポートを持つＳＤＦフィルタリングを使用して、ワイヤレスネットワーク中のデバイスに提供するためのパケットを複数のゲートウェイ間でルーティングすることを促進する例示的なワイヤレス通信システム７００を示している。システム７００は、１つ以上の異なるコンポーネントを通して１つ以上のＵＥにＩＰレイヤ通信を提供するＵＥ ＰＧＷ／ＳＧＷ４０２を含んでいる。加えて、システム７００は、１つ以上の中継器ｅＮＢにＩＰレイヤ通信を同様に提供する中継器ＰＧＷ／ＳＧＷ４０４を含んでいる。システム７００は、中継器ｅＮＢ１０４（および／または、他の中継器ｅＮＢ）に、ＰＧＷ／ＳＧＷ４０２および４０４（とともに、１つの例では、他のコンポーネント）へのアクセスを提供するドナーｅＮＢ１０２を含んでいる。付加的に、説明したように、中継器ｅＮＢ１０４は、１つ以上の付加的な中継器ｅＮＢおよび／またはＵＥ１１０のようなＵＥに、ドナーｅＮＢ１０２を通してのＰＧＷ／ＳＧＷ４０２および４０４へのアクセスを提供することができる。さらに、ドナーｅＮＢ１０２は、マクロセルアクセスポイント、フェムトセルアクセスポイント、ピコセルアクセスポイント、移動体基地局、および／または、これらに類するものとすることができる。説明したように、中継器ｅＮＢ１０４は、同様に、ワイヤレスまたはワイヤードのバックホールを通してドナーｅＮＢ１０２と通信する、移動性のまたは静的な中継器ノードとすることができる。
【００８３】
ＵＥ ＰＧＷ／ＳＧＷ４０２は、ＩＰレイヤを通してのワイヤレスネットワークアクセスを提供することを促進するために、中継器ＰＧＷ／ＳＧＷ、ＭＭＥ、および／または、１つ以上の異なるネットワークコンポーネントにデータを送信することができ、ならびに／あるいは、中継器ＰＧＷ／ＳＧＷ、ＭＭＥ、および／または、１つ以上の異なるネットワークコンポーネントからデータを受信することができる通信コンポーネント４０６と、異なるＰＧＷ／ＳＧＷにおいてＱｏＳを提供するためのＵＤＰポートを割り当てるＵＤＰポート関係付けコンポーネント７０２とを備えている。ＵＥ ＰＧＷ／ＳＧＷ４０２はまた、ＩＰヘッダ中で示されているデバイスにルーティングするために、中継器ＰＧＷ／ＳＧＷへのおよび／または１つ以上のダウンストリームネットワークコンポーネントへの通信に、ＧＴＰヘッダおよび／またはＵＤＰ／ＩＰヘッダを関係付けることができるＧＴＰ／ＩＰヘッダ割り当てコンポーネント４０８と、ＤＬ−ＴＥＩＤをまたは通信におけるデバイスのアタッチメントの際に受信した他の識別子を含めることができるＤＬ−ＴＥＩＤ指定コンポーネント５０２とを備えている。
【００８４】
中継器ＰＧＷ／ＳＧＷ４０４は、ＵＥ ＰＧＷ／ＳＧＷ、ＭＭＥ、ドナーｅＮＢ等にデータを送信することができ、ならびに／あるいは、ＵＥ ＰＧＷ／ＳＧＷ、ＭＭＥ、ドナーｅＮＢ等からデータを受信することができる通信コンポーネント４１２と、ＳＤＦフィルタリングのためにアップストリームＰＧＷ／ＳＧＷとの通信からＵＤＰポートを抽出するＵＤＰポート決定コンポーネント７０４とを備えている。中継器ＰＧＷ／ＳＧＷ４０４は、付加的に、ＵＤＰポート番号に少なくとも部分的に基づいて、ＧＴＰトンネルにパケットをルーティングすることができるＳＤＦフィルタリングコンポーネント５０６と、別のＧＴＰヘッダおよび／またはＵＤＰ／ＩＰヘッダを通信に関係付けるＧＴＰ／ＩＰヘッダ割り当てコンポーネント４１８とを備えている。
【００８５】
中継器ＰＧＷ／ＳＧＷ４０４は、ＵＥ ＰＧＷ／ＳＧＷ、ＭＭＥ、ドナーｅＮＢ等にデータを送信することができ、ならびに／あるいは、ＵＥ ＰＧＷ／ＳＧＷ、ＭＭＥ、ドナーｅＮＢ等からデータを受信することができる通信コンポーネント４１２と、ＳＤＦフィルタを使用して、１つ以上のパケットに対するＱｏＳを決定することに関連する１つ以上のパラメータを（例えば、通信コンポーネント４１２またはその他のものを介して）取得するＳＤＦフィルタパラメータ受信コンポーネント６０４とを備えている。中継器ＰＧＷ／ＳＧＷ４０４は、付加的に、ＳＤＦフィルタパラメータに少なくとも部分的に基づいて、ＧＴＰトンネルにパケットをルーティングすることができるＳＤＦフィルタリングコンポーネント５０６と、別のＧＴＰヘッダおよび／またはＵＤＰ／ＩＰヘッダを通信に関係付けるＧＴＰ／ＩＰヘッダ割り当てコンポーネント４１８とを備えている。
【００８６】
例にしたがうと、説明したように、中継器ｅＮＢ１０４は、ドナーｅＮＢ１０２と１つ以上の無線ベアラを確立することができ、１つ以上のＵＥと確立している異なる無線ベアラを、ドナーｅＮＢ１０２と確立している無線ベアラにマッピングすることができる。ＵＥ１１０と中継器ｅＮＢ１０４との間の無線ベアラの確立の間に（例えば、アタッチメント、ベアラマッピング、または、類似する手順の間に）、ＵＤＰポート関係付けコンポーネント７０２は、無線ベアラに対するＱｏＳを提供するためのＵＤＰポート番号を割り当てることができる。ＵＤＰポート関係付けコンポーネント７０２は、中継器ＰＧＷ／ＳＧＷ４０４のような、１つ以上のダウンストリームノードに対して、ＵＤＰポート割り当てを提供することができる。説明するように、ＵＤＰポート決定コンポーネント７０４は、ＵＥ ＰＧＷ／ＳＧＷ４０２からＵＤＰポート番号を取得することができ、ＳＤＦフィルタリングコンポーネント５０６は、ドナーｅＮＢ１０２と中継器ｅＮＢ１０４との間の無線ベアラに対応する、ドナーｅＮＢとのトンネル（例えば、ＧＴＰトンネル）に、ポート番号を関係付けることができる。別の例では、ＵＤＰポート決定コンポーネント７０４は、ＵＤＰポート番号を含む５−タプルを取得することができ、ＳＤＦフィルタリングコンポーネント５０６は、トンネルに５−タプルを関係付けることができる。
【００８７】
説明したように、この点で、通信コンポーネント４０６は、後続して、（例えば、アップストリームネットワークコンポーネントや、異なるＰＧＷ／ＳＧＷから、パケットを受信することにより、パケットを発生させることにより、および／または、これらに類することにより）ＵＥに対するダウンリンクパケットを取得することができる。ＧＴＰ／ＩＰヘッダ割り当てコンポーネント４０８は、ＵＥ１１０へのパケットのルーティングを促進するために、ＧＴＰヘッダおよび／またはＵＤＰ／ＩＰヘッダをパケットに関係付けることができる。例えば、ＩＰヘッダは、ＵＥ ＰＧＷ／ＳＧＷ４０２により割り当てられた、ＵＥ１１０に対するＩＰアドレスを含むことができる。加えて、ＤＬ−ＴＥＩＤ指定コンポーネント５０２は、ＵＥ１１０に関連するＤＬ−ＴＥＩＤをＧＴＰヘッダ中に含めることができる。説明したように、例えば、ＵＥ ＰＧＷ／ＳＧＷ４０２は、中継器ＰＧＷ／ＳＧＷ４０４がドナーｅＮＢ１０２から受信すること等ができるＤＬ−ＴＥＩＤを、ベアラ確立ステータスの一部として、中継器ＰＧＷ／ＳＧＷ４０４から受信することができる。したがって、上記で説明したように、ＤＬ−ＴＥＩＤは、中継器ｅＮＢ１０４とＵＥ１１０との間で確立されている無線ベアラにさらに詳細に関連することができる。この点で、ＤＬ−ＴＥＩＤ指定コンポーネント５０２は、（ＵＥ１１０に関連することができる、）パケット中のＩＰアドレスや、トラフィックのタイプや、関連するアップリンクパケット中で指定されている１つ以上の識別子や、および／または、これらに類するものに少なくとも部分的に基づいて、パケットに対するＤＬ−ＴＥＩＤを決定することができる。
【００８８】
加えて、ＵＤＰポート関係付けコンポーネント７０２は、ＵＥ１１０におよび／またはパケット中の通信のタイプに前もって関係付けられたＵＤＰポート番号を決定することができる。１つの例では、パケットとともにこの情報を受信することができ、ＤＬ−ＴＥＩＤに同様に（または、ＤＬ−ＴＥＩＤに少なくとも部分的に基づいて）、この情報を決定することができ、ならびに／あるいは、これらに類することができる。ＵＤＰポート関係付けコンポーネント７０２は、ＩＰヘッダ中のＵＤＰポート番号を指定することができる。通信コンポーネント４０６は、（例えば、ワイヤードバックホールまたは類似するコアネットワーク接続を通して）中継器ＰＧＷ／ＳＧＷ４０４に対してパケットを送信することができる。通信コンポーネント４１２は、ＵＥ ＰＧＷ／ＳＧＷ４０２からパケットを受信することができる。ＵＤＰポート決定コンポーネント７０４は、ＵＥ ＰＧＷ／ＳＧＷ４０２によりパケットに関係付けられたＩＰヘッダから、ＵＤＰポート番号を抽出することができ、パケットをトンネルに関係付けるために、それをＳＤＦフィルタリングコンポーネント５０６に提供することができる。別の例では、説明したように、ＳＤＦフィルタリングコンポーネント５０６は、ＩＰパケットのヘッダからの５−タプルを処理することができ、対応するトンネルに５−タプルを関係付けることができる。いずれのケースでも、説明したように、ＧＴＰ／ＩＰヘッダ割り当てコンポーネント４１８は、ドナーｅＮＢ１０２へのルーティングを促進するために、ＧＴＰヘッダおよび／またはＵＤＰ／ＩＰヘッダをパケットに追加することができ、通信コンポーネント４１２は、ＧＴＰトンネルを通して、ドナーｅＮＢ１０２を介して、中継器ｅＮＢ１０４に対してパケットを送信することができる。
【００８９】
加えて、例えば、ＳＤＦフィルタリングコンポーネント５０６はさらに、アップリンクパケットに対する類似するフィルタリングを促進するために、変化するＵＤＰポート番号を含む受信したＳＤＦフィルタパラメータを、中継器ｅＮＢ１０４に提供することができる。ＳＤＦフィルタパラメータ受信コンポーネント５１０は、パラメータを取得することができ、ＳＤＦフィルタリングコンポーネント５１２は、所定のＵＥに対するおよび／または中継器ｅＮＢ１０４との関連するベアラに対するＳＤＦフィルタパラメータ中で示されているＵＤＰポート番号に関連する無線ベアラを通して、通信コンポーネント５０８においてＵＥ１１０から受信した、ドナーｅＮＢ１０２へのパケットをフィルタリングすることができる。例えば、ＳＤＦフィルタリングコンポーネント５１２は、中継器ｅＮＢ１０４とＵＥ１１０との間の関連する無線ベアラに、受信したＵＤＰポート番号を関係付けることができる。したがって、通信コンポーネント５０８は、ＵＥ１１０からパケットを受信することができる。ＳＤＦフィルタリングコンポーネント５１２は、パケットをいつドナーｅＮＢ１０２に対して送信するかを指定するために、ＵＥ１１０におよび／またはパケットを受信した無線ベアラに基づいて、ＵＤＰポート番号を決定することができる。説明したように、ＧＴＰ／ＩＰヘッダ割り当てコンポーネント５１４は、ＵＤＰポート番号を含むパケットに、ＧＴＰヘッダおよび／またはＵＤＰ／ＩＰヘッダを関係付けることができ、通信コンポーネント５０８は、中継器ＰＧＷ／ＳＧＷ４０４を通してＵＥ ＰＧＷ／ＳＧＷ４０２に提供するためのパケットをドナーｅＮＢ１０２に対して送信することができる。
【００９０】
ここで図８を見ると、ＩＰ中継器機能性を提供する例示的なワイヤレス通信ネットワーク８００が示されている。説明したように、ネットワーク８００は、ワイヤレスネットワークへのアクセスを受信するために中継器ｅＮＢ１０４と通信するＵＥ１１０を含んでいる。中継器ｅＮＢ１０４は、ワイヤレスネットワークへのアクセスを提供するドナーｅＮＢ１０２と通信することができ、説明したように、ドナーｅＮＢ１０２は、中継器ｅＮＢ１０４に関連するＭＭＥ８０２および／またはＳＧＷ８０４と通信することができる。ＳＧＷ８０４は、ＳＧＷ８０４および／または付加的なＳＧＷにネットワークアクセスを提供するＰＧＷ８０６に接続または結合することができる。ＰＧＷ８０６は、中継器ｅＮＢ１０４がネットワークを使用することを認証／認可するポリシーおよびチャージングルール機能（ＰＣＲＦ）８０８と通信することができ、これは、ＩＰマルチメディアサブシステム（ＩＭＳ）８１０を利用して、中継器ｅＮＢ１０４にアドレッシングを提供することができる。
【００９１】
例にしたがうと、ＳＧＷ８０４およびＰＧＷ８０６はまた、ＵＥ１１０に関連することができるＳＧＷ８１６およびＰＧＷ８１８と通信することができる。例えば、ＳＧＷ８１６および／またはＰＧＷ８１８は、ＵＥ１１０にＩＰアドレスを割り当てることができ、ＳＧＷ８０４およびＰＧＷ８０６、ドナーｅＮＢ１０２、ならびに、中継器ｅＮＢ１０４を介して、ＵＥ１１０と通信することができる。上記で説明したように、ＵＥ１１０と、ＳＧＷ８１６および／またはＰＧＷ８１８との間の通信を、ノードを通してトンネルすることができる。ＳＧＷ８０４およびＰＧＷ８０６は、同様に、ＵＥ１１０とＭＭＥ８１４との間の通信をトンネルすることができる。ＰＧＷ８１８は、同様に、ＵＥ１１０を認証／認可するＰＣＲＦ８０８と通信することができ、ＰＣＲＦ８０８は、ＩＭＳ８１０と通信することができる。加えて、ＰＧＷ８１８は、ＩＭＳ８１０および／またはインターネット８１２と直接通信することができる。
【００９２】
例では、説明したように、ＵＥ１１０は、Ｅ−ＵＴＲＡ−Ｕｕインターフェースのような、１つ以上の無線プロトコルインターフェースを通して、中継器ｅＮＢ１０４と通信することができ、中継器ｅＮＢ１０４は、Ｅ−ＵＴＲＡ−Ｕｎまたは他のインターフェースのような、１つ以上の無線プロトコルインターフェースを使用して、ドナーｅＮＢ１０２と通信することができる。説明したように、中継器ｅＮＢ１０４は、ＳＧＷ８０４および／またはＰＧＷ８０６に関連するＵＤＰ／ＩＰヘッダおよび／またはＧＴＰヘッダを、ＵＥ１１０から受信したパケットに追加することができ、ドナーｅＮＢ１０２にパケットを転送することができる。示しているように、ドナーｅＮＢ１０２は、Ｓ１−ＭＭＥインターフェースを使用して、ＭＭＥ８０２と通信し、Ｓ１−Ｕインターフェースを通して、ＳＧＷ８０４およびＰＧＷ８０６と通信する。例えば、ドナーｅＮＢ１０２は、同様に、ＵＤＰ／ＩＰヘッダおよび／またはＧＴＰヘッダをパケットに追加し、ＭＭＥ８０２またはＳＧＷ８０４に転送することができる。
【００９３】
ＳＧＷ８０４および／またはＰＧＷ８０６は、ＵＤＰ／ＩＰヘッダおよび／またはＧＴＰヘッダを利用して、コアネットワーク内でパケットをルーティングすることができる。例えば、説明したように、ＳＧＷ８０４および／またはＰＧＷ８０６は、パケットを受信し、ＳＧＷ８０４および／またはＰＧＷ８０６に関連する、外側のＵＤＰ／ＩＰヘッダおよび／またはＧＴＰヘッダを除去することができる。ＳＧＷ８０４および／またはＰＧＷ８０６は、次のＵＤＰ／ＩＰヘッダおよび／またはＧＴＰヘッダを処理して、パケットを受信する次のノードを決定することができ、これは、ＵＥ１１０に関連する、ＳＧＷ８１６および／またはＰＧＷ８１８となることがある。同様に、ＳＧＷ８１６および／またはＰＧＷ８１８は、ＵＥに関連するダウンリンクパケットを取得することができ、ＵＥ１１０に提供するためのパケットを中継器ｅＮＢ１０４に通信することに関連するＵＤＰ／ＩＰヘッダおよび／またはＧＴＰヘッダを含めることができる。ＳＧＷ８１６および／またはＰＧＷ８１８は、中継器ｅＮＢ１０４に関連するＳＧＷ８０４および／またはＰＧＷ８０６にパケットを転送することができる。ＳＧＷ８０４および／またはＰＧＷ８０６はさらに、ドナーｅＮＢ１０２に関連する付加的なＵＤＰ／ＩＰヘッダおよび／またはＧＴＰヘッダをパケット中に含めることができる。
【００９４】
さらに、ＳＧＷ８０４および／またはＰＧＷ８０６は、ドナーｅＮＢ１０２にパケットを通信するためのＧＴＰトンネルを選択することができる。説明したように、これは、ＳＧＷ８１６および／またはＰＧＷ８１８から受信したＵＤＰ／ＩＰヘッダ中および／またはＧＴＰヘッダ中の情報に、ならびに／あるいは、これらに類するものに基づくことができる。ＳＧＷ８０４および／またはＰＧＷ８０６は、（例えば、ＳＧＷ８０４および／またはＰＧＷ８０６により含められたＧＴＰヘッダ中に、１つ以上のパラメータを含めることにより、）トンネルを通してドナーｅＮＢ１０２にパケットを通信することができる。ドナーｅＮＢ１０２は、ＳＧＷ８０４および／またはＰＧＷ８０６により含められた、外側のＧＴＰヘッダおよび／またはＵＤＰ／ＩＰヘッダを除去することができ、パケットを受信する次のノードを決定することができる。したがって、ドナーｅＮＢ１０２は、ＧＴＰトンネルに関連する無線ベアラを通して、中継器ｅＮＢ１０４に対してパケットを送信することができる。中継器ｅＮＢ１０４は、同様に、次のＵＤＰ／ＩＰヘッダ中またはＧＴＰヘッダ中の１つ以上のパラメータや、パケットを受信した無線ベアラ等に少なくとも部分的に基づいて、パケットを受信する次のノードおよび／またはパケットを送信するためのベアラを決定することができる。中継器ｅＮＢ１０４は、ＵＤＰ／ＩＰヘッダおよび／またはＧＴＰヘッダを除去することができ、ＵＥ１１０に対してパケットを送信することができる。
【００９５】
図９を参照すると、データ（例えば、ユーザ）プレーン通信に対してＩＰ中継器機能性を提供するように、ワイヤレスネットワーク中で通信することを促進する例示的なプロトコルスタック９００が示されている。Ｌ１レイヤ、ＭＡＣレイヤ、ＲＬＣレイヤ、ＰＤＣＰレイヤ、および、ＩＰレイヤを含むＵＥプロトコルスタック９０２が示されている。Ｌ１レイヤ、ＭＡＣレイヤ、ＲＬＣレイヤ、および、ＰＤＣＰレイヤを有する中継器ｅＮＢ（ＲｅＮＢ）アクセスリンクプロトコルスタック９０４とともに、Ｌ１レイヤ、ＭＡＣレイヤ、ＲＬＣレイヤ、ＰＤＣＰレイヤ、ＩＰレイヤ、ＵＤＰレイヤ、および、ＧＴＰ−Ｕレイヤを有するＲｅＮＢバックホールリンクプロトコルスタック９０６が示されている。Ｌ１レイヤ、ＭＡＣレイヤ、ＲＬＣレイヤ、および、ＰＤＣＰレイヤを有するドナーｅＮＢ（ＤｅＮＢ）アクセスリンクプロトコルスタック９０８とともに、Ｌ１レイヤ、Ｌ２レイヤ、ＵＤＰ／ＩＰレイヤ、および、ＧＴＰ−Ｕを有するＤｅＮＢバックホールリンクプロトコルスタック９１０もまた示されている。加えて、Ｌ１レイヤ、Ｌ２レイヤ、ＵＤＰ／ＩＰレイヤ、ＧＴＰ−Ｕレイヤ、および、ＩＰレイヤを有するＲｅＮＢ ＰＧＷ／ＳＧＷアクセスリンクプロトコルスタック９１２とともに、Ｌ１レイヤ、Ｌ２レイヤ、および、ＩＰレイヤを含むＲｅＮＢ ＰＧＷ／ＳＧＷバックホールリンクプロトコルスタック９１４が示されている。さらに、Ｌ１レイヤ、Ｌ２レイヤ、ＲｅＮＢ ＰＧＷ／ＳＧＷに関連するＩＰレイヤ、ＵＤＰレイヤ、ＧＴＰ−Ｕレイヤ、および、ＵＥに関連するＩＰレイヤを有するＵＥ ＰＧＷ／ＳＧＷプロトコルスタック９１６が示されている。
【００９６】
アップリンク通信の例にしたがうと、ＵＥは、ＵＥ ＰＧＷ／ＳＧＷへのＩＰ通信のために、ＲｅＮＢと通信することができる。この点で、ＵＥは、プロトコルスタック９０２とプロトコルスタック９０４との間で示されているように、（例えば、ＥＵＴＲＡ−Ｕｕインターフェースを使用して、）Ｌ１レイヤ、ＭＡＣレイヤ、ＲＬＣレイヤ、および、ＰＤＣＰレイヤを通して、ＲｅＮＢと通信することができる。ＵＥは、プロトコルスタック９０２とプロトコルスタック９１６との間で示されているように、ＲｅＮＢおよび他のエンティティを通して、ＵＥ ＰＧＷ／ＳＧＷにＩＰレイヤ通信をトンネルすることができ、ＵＥ ＰＧＷ／ＳＧＷは、ＵＥにＩＰアドレスを割り当てる。このようなトンネリングを促進するために、ＲｅＮＢは、プロトコルスタック９０６とプロトコルスタック９１２との間で示されているように、バックホールリンク上で、１つ以上の他のノードを通して、ＲｅＮＢ ＰＧＷ／ＳＧＷにアクセスリンクパケットを通信するために、ＩＰヘッダを挿入することができる。加えて、ＲｅＮＢは、トンネリングを促進するために、プロトコルスタック９０６とプロトコルスタック９１６との間で示されているように、ＵＥ ＰＧＷ／ＳＧＷに関連するＧＴＰ−ＵヘッダおよびＵＤＰヘッダを挿入することができる。
【００９７】
さらに、ＲｅＮＢは、プロトコルスタック９０６とプロトコルスタック９０８との間で示されているように、（例えば、ＥＵＴＲＡ−Ｕｎインターフェースを使用して、）Ｌ１レイヤ、ＭＡＣレイヤ、ＲＬＣレイヤ、および、ＰＤＣＰレイヤを通して、ＤｅＮＢと通信することができる。ＤｅＮＢは、無線通信を促進する、ＰＤＣＰレイヤ、ＲＬＣレイヤ、および、ＭＡＣレイヤを除去することができ、後続して、プロトコルスタック９１０とプロトコルスタック９１２との間で示されているように、Ｌ１レイヤ、Ｌ２レイヤ、ＵＤＰ／ＩＰレイヤ、および、ＧＴＰ−Ｕレイヤを通して、ＲｅＮＢ ＰＧＷ／ＳＧＷと通信することができる。この点で、ＤｅＮＢは、ＲｅＮＢのＧＴＰ−Ｕレイヤ、ＵＤＰレイヤ、および、ＩＰレイヤをトンネルするために、ＲｅＮＢ ＰＧＷ／ＳＧＷに関連するＧＴＰ−ＵレイヤおよびＵＤＰ／ＩＰレイヤを加えることができる。説明したように、ＲｅＮＢ ＰＧＷ／ＳＧＷは、ＧＴＰ−ＵレイヤおよびＵＤＰ／ＩＰレイヤを除去することができ、後続して、Ｌ１レイヤ、Ｌ２レイヤ、および、ＩＰレイヤを通してＵＥ ＰＧＷ／ＳＧＷと通信し、ＵＥからのＩＰ通信をトンネルすることができる。類似する手順を利用して、ＵＥ ＰＧＷ／ＳＧＷからＵＥにダウンリンクパケットをトンネルすることができることを正しく認識すべきである。
【００９８】
図１０〜図１５を参照すると、ＩＰレイヤを使用してパケットをルーティングすることに関連する方法論が示されている。説明を簡単にする目的のために、一連のアクトとして方法論を示し、説明しているが、いくつかのアクトは、１つ以上の態様にしたがって、ここで示し説明しているのとは異なる順序でおよび／または他のアクトと並行して起こるかもしれないので、方法論は、アクトの順序によって限定されないことを理解し、正しく認識すべきである。例えば、当業者は、代替的に、状態ダイヤグラムにおけるもののような、一連の相互に関係のある状態またはイベントとして、方法論を表すことができることを理解し、正しく認識するだろう。さらに、示しているすべてのアクトが、１つ以上の態様にしたがって、方法論を実現する必要はないかもしれない。
【００９９】
図１０を見ると、ドナーｅＮＢにパケットを送信するためのトンネルの選択を促進する例示的な方法論１０００が示されている。１００２において、ドナーｅＮＢと複数の通信トンネルを確立することができる。説明したように、例えば、通信トンネルは、それぞれ、ドナーｅＮＢと中継器ｅＮＢとの間で確立されたベアラに関連することができる。１００４において、複数のプロトコルヘッダを含む、ワイヤレスデバイスに関連するパケットを受信することができる。説明したように、パケットは、１つ以上のアップストリームネットワークコンポーネントからのＩＰヘッダおよび／またはＧＴＰヘッダを含むことがある。１００６において、プロトコルヘッダのうちの少なくとも１つの１つ以上のパラメータに少なくとも部分的に基づいて、ドナーｅＮＢに対してパケットを送信するためのトンネルを選択することができる。説明したように、例えば、パケットのＩＰヘッダ中のＤＳＣＰ値に少なくとも部分的に基づいて、トンネルを選択することができる。別の例では、１つ以上のＩＰヘッダおよびＧＴＰヘッダの１つ以上のパラメータから発生された６−タプルや、最も内側のＩＰヘッダからの５−タプルや、指定されたＵＤＰポート番号や、および／または、これらに類するものを処理することができるＳＤＦフィルタに基づいて、トンネルを選択することができる。加えて、例では、（例えば、説明したように、異なるＱｏＳに対して複数のＩＰアドレスが割り振られている場合には）パケット中で指定されている宛先ＩＰアドレスに少なくとも部分的に基づいて、トンネルを選択することができる。
【０１００】
図１１を参照すると、ＤＳＣＰ値に基づいて、ドナーｅＮＢにパケットを送信するための通信トンネルの選択を促進する例示的な方法論１１００が示されている。１１０２において、ＩＰヘッダを含む、ワイヤレスデバイスに関連するパケットを受信することができる。１１０４において、ＩＰヘッダからＤＳＣＰ値を抽出することができる。１１０６において、ＤＳＣＰ値に少なくとも部分的に基づいて、ドナーｅＮＢにパケットを通信するためのトンネルを選択することができる。説明したように、ドナーｅＮＢと中継器ｅＮＢとの間の無線ベアラに対応する複数のトンネルに、ＤＳＣＰ値（および／または、ＤＳＣＰ値の範囲）を関係付けることができる。したがって、ＤＳＣＰ値にしたがって、パケットを送信するために、パケットに対するＱｏＳを提供するための無線ベアラに関連しているトンネルを選択することができる。
【０１０１】
図１２を見ると、受信したヘッダパラメータの６−タプルに基づくパケットのフィルタリングを促進する例示的な方法論１２００が示されている。１２０２において、ＵＤＰ／ＩＰヘッダおよびＧＴＰヘッダを含む、ワイヤレスデバイスに関連するパケットを受信することができる。１２０４において、ＵＤＰ／ＩＰヘッダおよびＧＴＰヘッダから、６−タプルを決定することができる。例えば、６−タプルは、発信元ＩＰアドレス、宛先ＩＰアドレス、発信元ポート番号、宛先ポート番号、プロトコル、および、ＤＬ−ＴＥＩＤを含むことがある。１２０６において、ＳＤＦフィルタを使用して６−タプルを処理することに少なくとも部分的に基づいて、ドナーｅＮＢトンネルにパケットをフィルタリングすることができる。この点で、説明したように、６−タプルは、（例えば、中継器ｅＮＢとＤＬ−ＴＥＩＤに関連するＵＥとの間のベアラ確立の際に）、６−タプルを受信することに少なくとも部分的に基づいて、トンネルに前もって関係付けることができ、例えば、６-タプルを処理するためのＳＤＦフィルタに対するＰＣＣルールを規定することができる。
【０１０２】
図１３を参照すると、パケットのＩＰヘッダを処理することに基づいて、ドナーｅＮＢへのパケットのフィルタリングを促進する例示的な方法論１３００が示されている。１３０２において、ワイヤレスデバイスに関連するアップストリームノードから、１つ以上のＳＤＦフィルタパラメータを受信することができる。例えば、ＳＤＦフィルタパラメータは、ワイヤレスデバイスのＩＰ／ＵＤＰパラメータを含むことができる。１３０４において、ＩＰヘッダを含む、ワイヤレスデバイスに関連するパケットを受信することができる。説明したように、例えば、パケットは、複数のＩＰヘッダを含むことがある。１３０６において、ＳＤＦフィルタパラメータにしたがってＩＰヘッダを処理することに少なくとも部分的に基づいて選択されたトンネルを使用して、ドナーｅＮＢへのパケットをフィルタリングすることができる。この点で、処理するＩＰヘッダは、ワイヤレスデバイスに関連するＵＤＰ／ＩＰ情報を含む、パケットの最も内側のＩＰヘッダとすることができる。
【０１０３】
図１４を見ると、異なるＵＤＰポート番号を使用することにより、ドナーｅＮＢを通るパケットのフィルタリングを促進する例示的な方法論１４００が示されている。１４０２において、アップストリームネットワークコンポーネントから、ワイヤレスデバイスに対する通信に関連するＵＤＰポート番号を受信することができる。１４０４において、ワイヤレスデバイスに対するパケットを受信することができる。１つの例では、ＵＤＰポート番号は、パケットのヘッダ中に存在することがあり、そこから決定することができる。１４０６において、パケットに対するヘッダ中のＵＤＰポートパラメータを、受信したＵＤＰポート番号にセットすることができる。１４０８において、指定されたＵＤＰポートを通して、ドナーｅＮＢに対してパケットを送信することができる。説明したように、ドナーｅＮＢは、その後、パケットに対するＱｏＳを提供するＵＤＰポートに関連する無線ベアラを通して、中継器ｅＮＢにパケットを送信することができる。
【０１０４】
図１５を参照すると、１つ以上の受信したＳＤＦパラメータに少なくとも部分的に基づいて、ドナーｅＮＢにパケットを通信するための無線ベアラの選択を促進する例示的な方法論１５００が示されている。１５０２において、ネットワークコンポーネントから、１つ以上のＳＤＦフィルタパラメータを受信することができる。説明したように、パラメータは、ＳＤＦフィルタや、ネットワークコンポーネントにおけるｎ−タプルに対応する、関係付けられている無線ベアラまたは関連するトンネルや、ＵＤＰポート番号や、ならびに／あるいは、これらに類するものにしたがって、パケットヘッダを処理するためのｎ―タプルに関連することができる。１５０４において、ワイヤレスデバイスに関係付けられている無線ベアラを通して、ワイヤレスデバイスからアップリンクパケットを取得することができる。１５０６において、ＳＤＦフィルタパラメータに少なくとも部分的に基づいて、アップリンクパケットを送信するための、ドナーｅＮＢと確立されている異なる無線ベアラを選択することができる。説明したように、これは、無線ベアラを決定するために、（１つ以上の付加的な決定されたパラメータを持つ、または、１つ以上の付加的な決定されたパラメータを持たない）アップリンクパケット中のｎ−タプルを、所定の無線ベアラに対応するＵＤＰポート番号、および／または、これらに類するものを指定する、ＳＤＦフィルタパラメータ中のｎ−タプルにマッチングさせることを含むことができる。この点で、アップリンクパケットに対して、同様に、ＱｏＳを提供することができる。
【０１０５】
ここで説明した１つ以上の態様にしたがって、トンネルを無線ベアラにマッピングすることや、無線ベアラを通して受信したパケットに対するＱｏＳを、または、コアネットワークコンポーネントから受信したパケットに対するＱｏＳを決定することや、ここで説明した他の態様に関して、推測を行うことができることが正しく認識されるだろう。ここで使用するような、“推測する”または“推測”という用語は、一般的に、イベントおよび／またはデータを通して捕捉されるような１組の観測から、システム、環境、および／または、ユーザの状態について推理するあるいは推測するプロセスのことを指す。推測は、特定の状況またはアクションを識別するために用いることができ、あるいは、例えば、状態に対する確率分布を発生させることができる。推測は、確率論的なものである−すなわち、データおよびイベントの考察に基づいての、対象の状態に対する確率分布の計算とすることができる。推測はまた、１組のイベントおよび／またはデータから、より高いレベルのイベントを構成するために用いられる技法のことを指すこともある。このような推測は、イベントが時間的に近いところで相関しているか否かにかかわらず、ならびに、イベントおよびデータが、１つまたはいくつかの、イベントならびにデータソースから到来したか否かにかかわらず、結果として、１組の観測されたイベントおよび／または記憶されたイベントデータからの、新しいイベントまたはアクションの構築になる。
【０１０６】
ここで図１６を参照すると、ここで提示されているさまざまな実施形態にしたがった、ワイヤレス通信システム１６００が示されている。システム１６００は、複数のアンテナグループを含むことができる基地局１６０２を含んでいる。例えば、１つのアンテナグループは、アンテナ１６０４およびアンテナ１６０６を含むことができ、別のグループは、アンテナ１６０８およびアンテナ１６１０を含むことができ、さらに他のグループは、アンテナ１６１２およびアンテナ１６１４を含むことができる。各アンテナグループに対して２つのアンテナが示されている；しかしながら、各アンテナグループに対して、より多いまたはより少ないアンテナを利用することができる。基地局１６０２は、さらに、送信機チェーンと受信機チェーンとを具備し、そのそれぞれは、当業者により正しく認識されるように、さらに、信号の送受信に関係する複数のコンポーネント（例えば、プロセッサ、変調器、マルチプレクサ、復調器、デマルチプレクサ、アンテナ等）を備えることができる。
【０１０７】
基地局１６０２は、移動体デバイス１６１６および移動体デバイス１６２２のような、１つ以上の移動体デバイスと通信することができる；しかしながら、基地局１６０２は、移動体デバイス１６１６と移動体デバイス１６２２とに類似する、実質的に任意の数の移動体デバイスと通信できることを正しく認識すべきである。移動体デバイス１６１６と移動体デバイス１６２２は、例えば、セルラ電話機や、スマートフォンや、ラップトップや、ハンドヘルド通信デバイスや、ハンドヘルドコンピューティングデバイスや、衛星ラジオや、グローバルポジショニングシステムや、ＰＤＡや、および／または、ワイヤレス通信システム１６００を通して通信する他の何らかの適切なデバイスとすることができる。示されているように、移動体デバイス１６１６は、アンテナ１６１２およびアンテナ１６１４と通信し、ここで、アンテナ１６１２およびアンテナ１６１４は、フォワードリンク１６１８を通して移動体デバイス１６１６に情報を送信し、リバースリンク１６２０を通して移動体デバイス１６１６から情報を受信する。さらに、移動体デバイス１６２２は、アンテナ１６０４およびアンテナ１６０６と通信し、ここで、アンテナ１６０４およびアンテナ１６０６は、フォワードリンク１６２４を通して移動体デバイス１６２２に情報を送信し、リバースリンク１６２６を通して移動体デバイス１６２２から情報を受信する。周波数分割デュプレックス（ＦＤＤ）システムにおいて、例えば、フォワードリンク１６１８は、リバースリンク１６２０により使用されるものとは異なる周波数帯域を利用することができ、フォワードリンク１６２４は、リバースリンク１６２６により用いられるものとは異なる周波数帯域を用いることができる。さらに、時分割デュプレックス（ＴＤＤ）システムにおいて、フォワードリンク１６１８およびリバースリンク１６２０は、共通の周波数帯域を利用することができ、フォワードリンク１６２４およびリバースリンク１６２６は、共通の周波数帯域を利用することができる。
【０１０８】
各アンテナのグループをおよび／または各アンテナのグループが通信するように指定されているエリアを、基地局１６０２のセクターとして呼ぶことがある。例えば、アンテナグループは、基地局１６０２によりカバーされているエリアのセクター中で、移動体デバイスに通信するように設計することができる。フォワードリンク１６１８およびフォワードリンク１６２４を通しての通信では、基地局１６０２の送信アンテナは、移動体デバイス１６１６と移動体デバイス１６２２とに対するフォワードリンク１６１８およびフォワードリンク１６２４の信号対ノイズ比を改善するために、ビームフォーミングを利用することができる。また、基地局１６０２がビームフォーミングを利用して、関係するカバレッジエリア中にランダムに散らばっている移動体デバイス１６１６および移動体デバイス１６２２に送信している間、単一のアンテナを通して、基地局が、そのすべての移動体デバイスに送信するのと比較すると、隣接するセル中の移動体デバイスは、受ける干渉が少なくなる。さらに、移動体デバイス１６１６および移動体デバイス１６２２は、（示していない）ピア・ツー・ピアまたはアドホックの技術を使用して、互いに直接通信することができる。
【０１０９】
例にしたがうと、システム１６００は、複数入力複数出力（ＭＩＭＯ）通信システムとすることができる。さらに、システム１６００は、ＦＤＤ、ＦＤＭ、ＴＤＤ、ＴＤＭ、ＣＤＭ、および、これらに類するもののような、実質的に任意のタイプのデュプレックス技法を利用して、通信チャネル（例えば、フォワードリンク、リバースリンク、．．．）を分割することができる。加えて、チャネルを通して複数のデバイスとの同時通信が可能になるように、通信チャネルを直交させることができる；１つの例では、この点で、ＯＦＤＭを利用することができる。したがって、時間の期間にわたって、チャネルを周波数の部分に分割することができる。加えて、時間期間の集合にわたる周波数の一部分として、フレームを規定することができる；したがって、例えば、フレームは、多数のＯＦＤＭシンボルを含むことがある。基地局１６０２は、チャネルを通して、移動体デバイス１６１６および移動体デバイス１６２２に通信することができ、チャネルは、さまざまなタイプのデータに対して生成させることができる。例えば、さまざまなタイプの、一般的な通信データ、制御データ（例えば、他のチャネルに関する品質情報、チャネルを通して受信したデータに対する肯定応答インジケータ、干渉情報、基準信号等）、および／または、これらに類するものを通信するために、チャネルを生成させることができる。
【０１１０】
図１７は、例示的なワイヤレス通信システム１７００を示している。ワイヤレス通信システム１７００は、簡潔さのために、１つの基地局１７１０と１つの移動体デバイス１７５０とを示している。しかしながら、システム１７００は、１つより多い基地局および／または１つより多い移動体デバイスを含むことができ、ここで、付加的な基地局および／または付加的な移動体デバイスは、下記で説明する例示的な基地局１７１０および移動体デバイス１７５０と、実質的に、類似していることがあり、あるいは、異なっていることがあることを正しく認識すべきである。加えて、基地局１７１０および／または移動体デバイス１７５０は、それらの間でのワイヤレス通信を促進するために、ここで説明した、システム（図１〜８および図１６）や、プロトコルスタック（図９）や、ならびに／あるいは、方法（図１０〜図１５）を用いることができることを正しく認識すべきである。
【０１１１】
基地局１７１０において、多数のデータストリームに対するトラフィックデータが、データソース１７１２から送信（ＴＸ）データプロセッサ１７１４に提供される。例にしたがうと、各データストリームは、それぞれのアンテナを通して送信することができる。ＴＸデータプロセッサ１７１４は、そのデータストリームに対して選択された特定のコーディングスキームに基づいて、トラフィックデータストリームをフォーマットし、コード化し、および、インターリーブし、コード化されたデータを提供する。
【０１１２】
各データストリームに対するコード化されたデータは、直交周波数分割多重化（ＯＦＤＭ）技術を使用して、パイロットデータと多重化することができる。付加的にあるいは代替的に、パイロットシンボルは、周波数分割多重化（ＦＤＭ）でき、時分割多重化（ＴＤＭ）でき、または、コード分割多重化（ＣＤＭ）できる。パイロットデータは、典型的に、既知の方法で処理される既知のデータパターンであり、チャネル応答を推定するために、移動体デバイス１７５０において使用することができる。各データストリームに対する多重化されたパイロットおよびコード化データは、そのデータストリームに対して選択された特定の変調スキーム（例えば、二位相偏移変調（ＢＰＳＫ）、四位相偏移変調（ＱＰＳＫ）、Ｍ位相偏移変調（Ｍ−ＰＳＫ）、または、Ｍ直角位相振幅変調（Ｍ−ＱＡＭ）等）に基づいて、変調（例えば、シンボルマッピング）し、変調シンボルを提供することができる。各データストリームに対する、データレート、コーディング、および、変調は、プロセッサ１７３０により実行または提供される命令により決定することができる。
【０１１３】
データストリームに対する変調シンボルは、ＴＸ ＭＩＭＯプロセッサ１７２０に提供することができ、ＴＸ ＭＩＭＯプロセッサ１７２０は、（例えば、ＯＦＤＭのために）変調シンボルをさらに処理することができる。ＴＸ ＭＩＭＯプロセッサ１７２０は、その後、ＮＴ個の変調シンボルストリームをＮＴ台の送信機（ＴＭＴＲ）１７２２ａないし１７２２ｔに提供する。さまざまな態様では、ＴＸ ＭＩＭＯプロセッサ１７２０は、データストリームのシンボルと、そこからシンボルが送信されるアンテナとに対して、ビームフォーミングの重みを適用する。
【０１１４】
各送信機１７２２は、それぞれのシンボルストリームを受け取って処理し、１つ以上のアナログ信号を提供し、さらに、アナログ信号を調整して（例えば、増幅して、フィルタリングして、および、アップコンバートして）、ＭＩＭＯチャネルを通しての送信に適した変調された信号を提供する。さらに、送信機１７２２ａないし１７２２ｔからのＮＴ個の変調信号は、ＮＴ本のアンテナ１７２４ａないし１７２４ｔから、それぞれ送信される。
【０１１５】
移動体デバイス１７５０において、ＮR本のアンテナ１７５２ａないし１７５２ｒにより、送信変調信号を受信し、各アンテナ１７５２から受信した信号は、それぞれの受信機（ＲＣＶＲ）１７５４ａないし１７５４ｒに提供される。各受信機１７５４は、それぞれの信号を調整し（例えば、フィルタリングし、増幅し、および、ダウンコンバートし）、調整した信号をデジタル化して、サンプルを提供し、さらに、サンプルを処理して、対応する“受信した”シンボルストリームを提供する。
【０１１６】
ＲＸデータプロセッサ１７６０は、特定の受信機処理技術に基づいて、ＮR台の受信機１７５４からＮR個の受信したシンボルストリームを受け取って処理し、ＮT個の“検出した”シンボルストリームを提供することができる。ＲＸデータプロセッサ１７６０は、各検出したシンボルストリームを復調し、デインターリーブし、および、デコードし、データストリームに対するトラフィックデータを復元することができる。ＲＸデータプロセッサ１７６０による処理は、基地局１７１０における、ＴＸ ＭＩＭＯプロセッサ１７２０とＴＸデータプロセッサ１７１４とにより実行される処理と相補的である。
【０１１７】
上記で論じたように、プロセッサ１７７０は、どのプリコーディング行列を利用するかを周期的に決定することができる。さらに、プロセッサ１７７０は、行列インデックス部分とランク値部分とを含むリバースリンクメッセージを構築することができる。
【０１１８】
リバースリンクメッセージは、通信リンクにおよび／または受信したデータストリームに関する、さまざまなタイプの情報を含むことができる。リバースリンクメッセージは、データソース１７３６から多数のデータストリームに対するトラフィックデータも受信するＴＸデータプロセッサ１７３８により処理し、変調器１７８０により変調し、送信機１７５４ａないし１７５４ｒにより調整し、基地局１７１０に返信することができる。
【０１１９】
基地局１７１０において、移動体デバイス１７５０からの変調信号は、移動体デバイス１７５０により送信されたリバースリンクメッセージを抽出するために、アンテナ１７２４により受信され、受信機１７２２により調整され、復調器１７４０により復調され、ＲＸデータプロセッサ１７４２により処理される。さらに、プロセッサ１７３０は、抽出したメッセージを処理し、ビームフォーミングの重みを決定するために、どのプリコーディング行列を使用するかを決定することができる。
【０１２０】
プロセッサ１７３０およびプロセッサ１７７０は、それぞれ、基地局１７１０における動作と移動体デバイス１７５０における動作とを命令する（例えば、制御する、調整する、管理する等）ことができる。それぞれのプロセッサ１７３０およびプロセッサ１７７０は、プログラムコードおよびデータを記憶するメモリ１７３２およびメモリ１７７２に関係付けることができる。プロセッサ１７３０およびプロセッサ１７７０は、アップリンクおよびダウンリンクに対する周波数応答推定とインパルス応答推定とをそれぞれ導出するための計算を実行することもできる。
【０１２１】
図１８を参照すると、示されているのは、アップストリームネットワークコンポーネントからドナーｅＮＢにパケットを通信するためのトンネルの選択を促進するシステム１８００である。例えば、システム１８００は、基地局、移動体デバイス等の内に少なくとも部分的に存在することができる。機能ブロックを含むものとしてシステム１８００が表されており、機能ブロックは、プロセッサにより、ソフトウェアにより、または、それらの組み合わせ（例えば、ファームウェア）により実現される機能を表す機能ブロックとすることができることを正しく認識すべきである。システム１８００は、ともに動作することができる電気コンポーネントの論理グルーピング１８０２を含んでいる。例えば、論理グルーピング１８０２は、ドナーｅＮＢと中継器ｅＮＢとの間で確立されている複数の無線ベアラに関連する、ドナーｅＮＢとの複数の通信トンネルを初期化する電気コンポーネント１８０４を含むことができる。例えば、説明したように、通信トンネルは、ＱｏＳを提供するための無線ベアラに対応するＧＴＰトンネルとすることができる。さらに、論理グルーピング１８０２は、複数のプロトコルヘッダを含む、ワイヤレスデバイスに関連するパケットを受信する電気コンポーネント１８０６を含むことができる。
【０１２２】
ヘッダは、発信元、宛先、トンネリング、および／または、他の情報を示す１つ以上のＵＤＰ／ＩＰヘッダまたはＧＴＰヘッダを含むことがある。さらに、論理グルーピング１８０２は、複数のプロトコルヘッダのうちの少なくとも１つの１つ以上のパラメータに少なくとも部分的に基づいて、複数の通信トンネルから、ドナーｅＮＢに対してパケットを送信するためのトンネルを決定する電気コンポーネント１８０８を含むことができる。したがって、説明したように、ＩＰヘッダ中のＤＳＣＰ値に少なくとも部分的に基づいて、トンネルを決定することができる。別の例では、少なくとも１つのヘッダの１つ以上のパラメータにＳＤＦフィルタを適用することに少なくとも部分的に基づいて、トンネルを決定することができる。例では、１つ以上のパラメータは、説明したように、ｎ−タプルや、ＵＤＰポート番号等に対応することができる。さらに別の例では、電気コンポーネント１８０８は、最も内側のＩＰヘッダを処理して、パラメータを取得することができる。
【０１２３】
したがって、加えて、論理グルーピング１８０２は、複数のプロトコルヘッダのうちの少なくとも１つから、ＤＳＣＰ値を抽出する電気コンポーネント１８１０を含むことができる。これは、説明したように、ＩＰヘッダとすることができる。さらに、論理グルーピング１８０２は、１つ以上のパラメータから、ＤＬ−ＴＥＩＤを決定する電気コンポーネント１８１２を含むことができる。これは、説明したように、ＳＤＦフィルタにより処理するための６−タプルの一部として含めることができる。さらに、論理グルーピング１８０２は、１つ以上のパラメータから、ＵＤＰポート番号を決定する電気コンポーネント１８１４を含むことができる。この点で、ＱｏＳを提供するためのＵＤＰポート番号に基づいて、ドナーｅＮＢに対してパケットを送信することができる。さらに、システム１８００は、電気コンポーネント１８０４、電気コンポーネント１８０６、電気コンポーネント１８０８、電気コンポーネント１８１０、電気コンポーネント１８１２、および、電気コンポーネント１８１４に関係する機能を実行するための命令を保持するメモリ１８１６を含むことができる。メモリ１８１６の外部にあるものとして示されているが、電気コンポーネント１８０４、電気コンポーネント１８０６、電気コンポーネント１８０８、電気コンポーネント１８１０、電気コンポーネント１８１２、および、電気コンポーネント１８１４のうちの１つ以上が、メモリ１８１６内に存在することができることを理解すべきである。
【０１２４】
図１９を参照すると、示されているのは、受信したＳＤＦフィルタパラメータにしたがって、アップリンクパケットを送信するための無線ベアラの選択を促進するシステム１９００である。例えば、システム１９００は、基地局、移動体デバイス等の内に少なくとも部分的に存在することができる。機能ブロックを含むものとしてシステム１９００が表されており、機能ブロックは、プロセッサにより、ソフトウェアにより、または、それらの組み合わせ（例えば、ファームウェア）により実現される機能を表す機能ブロックとすることができることを正しく認識すべきである。システム１９００は、ともに動作することができる電気コンポーネントの論理グルーピング１９０２を含んでいる。例えば、論理グルーピング１９０２は、１つ以上のＳＤＦフィルタパラメータを受信する電気コンポーネント１９０４を含むことができる。説明したように、ＳＤＦフィルタパラメータは、ＱｏＳを提供するための、アップストリームネットワークコンポーネントにより決定されたような、アップストリームｅＮＢにおける関連するトンネルまたは無線ベアラと、ｎ−タプルとに関連することができる。説明したように、ｎ−タプルは、ワイヤレスデバイスおよび／または関連する無線ベアラに対応することができる。別の例では、ＳＤＦフィルタパラメータはまた、アップリンクパケットを送信するためのＵＤＰポートに関連することができる。
【０１２５】
さらに、論理グルーピング１９０２は、ワイヤレスデバイスからアップリンクパケットを受信する電気コンポーネント１９０６を含むことができる。さらに、論理グルーピング１９０２は、１つ以上のＳＤＦパラメータに少なくとも部分的に基づいて、アップリンクパケットを送信するための、アップストリームｅＮＢと確立されている無線ベアラを決定する電気コンポーネント１９０８を含むことができる。説明したように、電気コンポーネント１９０８は、トンネルまたは関連する無線ベアラを見分けるために、アップリンクパケットのヘッダの１つ以上のパラメータと、ＳＤＦフィルタパラメータとをマッチングさせることに少なくとも部分的に基づいて、無線ベアラを決定することができる。加えて、別の例では、電気コンポーネント１９０８は、対応するＵＤＰポート番号を利用して、アップストリームｅＮＢに対してパケットを通信することができる。さらに、システム１９００は、電気コンポーネント１９０４、電気コンポーネント１９０６、および、電気コンポーネント１９０８に関係する機能を実行するための命令を保持するメモリ１９１０を含むことができる。メモリ１９１０の外部にあるものとして示されているが、電気コンポーネント１９０４、電気コンポーネント１９０６、および、電気コンポーネント１９０８のうちの１つ以上が、メモリ１９１０内に存在することができることを理解すべきである。
【０１２６】
ここで開示した実施形態に関連して説明した、さまざまな例示的な論理、論理的ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラムマブル論理デバイス、ディスクリートゲートまたはトランジスタ論理、ディスクリートハードウェアコンポーネント、あるいは、ここで説明した機能を実施するために設計されたこれらの任意の組み合わせで、実現されるか、あるいは、実行されてもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。さらに、少なくとも１つのプロセッサは、上記で説明したステップおよび／またはアクションのうちの１つ以上を実行するように動作可能である１つ以上のモジュールを含んでいてもよい。
【０１２７】
さらに、ここで開示した態様に関連して説明した方法あるいはアルゴリズムのステップおよび／またはアクションは、直接、ハードウェアで、プロセッサにより実行されるソフトウェアモジュールで、あるいは、２つの組み合わせで具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されてもよい。代替実施形態では、記憶媒体はプロセッサと一体化されてもよい。さらに、いくつかの態様では、プロセッサおよび記憶媒体は、ＡＳＩＣに存在してもよい。付加的に、ＡＳＩＣはユーザ端末に存在してもよい。代替実施形態では、プロセッサおよび記憶媒体は、ユーザ端末中のディスクリートコンポーネントとして存在してもよい。付加的に、いくつかの態様では、方法あるいはアルゴリズムのステップおよび／またはアクションは、コードおよび／または命令の１つあるいはいくつかの組み合わせとして、もしくは、１組またはいくつかの組のコードおよび／または命令として、機械読取可能媒体上にならびに／あるいはコンピュータ読取可能媒体上に、存在してもよく、機械読取可能媒体にならびに／あるいはコンピュータ読取可能媒体は、コンピュータプログラムプロダクト中に一体化していてもよい。
【０１２８】
１つ以上の態様において、説明した機能は、ハードウェアで、ソフトウェアで、ファームウェアで、または、これらのものを組み合わせた任意のもので実現してもよい。ソフトウェアで実現された場合、機能、手順等は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝えるまたは記憶するために使用できる他の何らかの媒体を含むことができる。また、あらゆる接続は、コンピュータ読取可能媒体と呼ぶことがある。例えば、ソフトウェアが、同軸ケーブルや、光ファイバケーブルや、撚り対や、デジタル加入者線（ＤＳＬ）や、あるいは、赤外線、無線、および、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【０１２９】
先の開示は、例示的な態様および／または実施形態を論じているが、添付した特許請求の範囲により規定されているような、説明した態様および／または実施形態の範囲から逸脱することなく、さまざまな変更および改良をここでは行うことができることに留意すべきである。さらに、説明した態様および／または実施形態のエレメントは、単数で説明またはクレームされているが、単数への限定が明示的に述べられていない限り、複数が企図されている。付加的に、そうではないと述べられていない限り、何らかの態様および／または実施形態のすべてあるいは一部分を、他の何らかの態様および／または実施形態のすべてあるいは一部分とともに利用することができる。さらに、「含む」という文言が詳細な説明または特許請求の範囲のいずれかで使用される限り、このような文言は、請求項中で移行語として用いられるときに「具備する」が解釈されるように、文言「具備する」に類似した方法で包括的であることが意図されている。さらに、説明した態様のエレメントおよび／または態様は、単数で説明またはクレームされているが、単数への限定が明示的に述べられていない限り、複数が企図されている。付加的に、そうではないと述べられていない限り、何らかの態様および／または実施形態のすべてあるいは一部分を、他の何らかの態様および／または実施形態のすべてあるいは一部分とともに利用することができる。
以下に、本願出願の当初の特許請求の範囲に記載された発明を付記する。
［１］方法において、
それぞれが、ドナーエボルブドノードＢ（ｅＮＢ）と中継器ｅＮＢとの間の複数の無線ベアラのうちの１つに関連する、前記ドナーｅＮＢとの複数の通信トンネルを確立することと、
複数のプロトコルヘッダを含む、ワイヤレスデバイスに関連するパケットを受信することと、
前記複数のプロトコルヘッダのうちの少なくとも１つの１つ以上のパラメータに少なくとも部分的に基づいて、前記複数の通信トンネルから、前記ドナーｅＮＢに対して前記パケットを送信するためのトンネルを選択することとを含む方法。
［２］前記複数のプロトコルヘッダのうちの少なくとも１つの１つ以上のパラメータは、区別されたサービスコードポイント（ＤＳＣＰ）値であり、前記複数の通信トンネルからトンネルを選択することは、前記トンネルに前記ＤＳＣＰ値を関係付けることに少なくとも部分的に基づいている［１］記載の方法。
［３］前記複数の通信トンネルの少なくとも一部分に、ＤＳＣＰ値の範囲をマッピングすることをさらに含む［２］記載の方法。
［４］前記複数の通信トンネルの少なくとも一部分に、前記ＤＳＣＰ値の範囲をマッピングすることは、前記複数の通信トンネルの一部分中の各通信トンネルに関連する複数の無線ベアラのうちの１つに関係する、前記ＤＳＣＰ値およびＱｏＳの範囲に関係する、サービス品質（ＱｏＳ）要件に少なくとも部分的に基づいている［３］記載の方法。
［５］前記複数の通信トンネルのそれぞれに、サービスデータフロー（ＳＤＦ）を関係付けることをさらに含む［１］記載の方法。
［６］前記複数の通信トンネルからトンネルを選択することは、前記複数のプロトコルヘッダのうちの少なくとも１つの１つ以上のパラメータに少なくとも部分的に基づいて、ＳＤＦフィルタにしたがって、前記パケットに対するＳＤＦを決定することを含み、前記ＳＤＦは、前記トンネルに対応する［５］記載の方法。
［７］前記複数のプロトコルヘッダのうちの少なくとも１つは、汎用パケット無線サービス（ＧＰＲＳ）トンネリングプロトコル（ＧＴＰ）ヘッダであり、前記パケットに対するＳＤＦを決定することは、ポリシーおよびチャージング制御ルールにしたがって、前記複数のプロトコルヘッダのうちの少なくとも１つから、ダウンリンクトンネルエンドポイント識別子（ＤＬ−ＴＥＩＤ）を取得することと、前記ＤＬ−ＴＥＩＤに少なくとも部分的に基づいて、前記ＳＤＦフィルタにしたがって、前記ＳＤＦを決定することとを含む［６］記載の方法。
［８］前記ワイヤレスデバイスと前記中継器ｅＮＢとの間のベアラ確立手順の一部として、前記ＤＬ−ＴＥＩＤを受信することをさらに含む［７］記載の方法。
［９］前記複数のプロトコルヘッダのうちの少なくとも１つは、前記パケット中の最も内側のインターネットプロトコル（ＩＰ）ヘッダである［６］記載の方法。
［１０］前記ＳＤＦフィルタに対するパラメータとして、前記最も内側のＩＰヘッダの１つ以上のパラメータを受信することと、
前記トンネルに前記１つ以上のパラメータを関係付けることとをさらに含む［９］記載の方法。
［１１］前記１つ以上のパラメータは、ユーザデータグラムプロトコル（ＵＤＰ）ポート番号である［６］記載の方法。
［１２］前記ワイヤレスデバイスと前記中継器ｅＮＢとの間の無線ベアラの確立の間に、前記ＵＤＰポート番号を受信することと、
前記トンネルに前記ＵＤＰポート番号を関係付けることとをさらに含む［１１］記載の方法。
［１３］インターネットプロトコル（ＩＰ）アドレスに関連する接続を通して、アップストリームゲートウェイから、前記複数のプロトコルヘッダを含む異なるパケットを受信することをさらに含み、
前記パケットを受信することは、異なるＩＰアドレスに関連する異なる接続を通して、前記アップストリームゲートウェイから前記パケットを受信することを含む［１］記載の方法。
［１４］前記接続を通して前記異なるパケットを受信することに少なくとも部分的に基づいて、前記複数の通信トンネルから、前記異なるパケットを送信するための異なるトンネルを選択することをさらに含む［１３］記載の方法。
［１５］装置において、
ドナーエボルブドノードＢ（ｅＮＢ）と中継器ｅＮＢとの間の複数の無線ベアラに関連する、前記ドナーｅＮＢとの複数の通信トンネルを確立するようにと、
複数のプロトコルヘッダを含むパケットを、アップストリームゲートウェイから取得するようにと、
複数のプロトコルヘッダのうちの少なくとも１つ中の１つ以上のパラメータに少なくとも部分的に基づいて、前記パケットを受信するための、前記複数の通信トンネルのうちの１つを選択するようにと、
前記複数の通信トンネルのうちの１つを通して前記パケットを送信するように構成されている少なくとも１つのプロセッサと、
前記少なくとも１つのプロセッサに結合されているメモリとを具備する装置。
［１６］前記複数のプロトコルヘッダのうちの少なくとも１つの１つ以上のパラメータは、区別されたサービスコードポイント（ＤＳＣＰ）値である［１５］記載の装置。
［１７］前記少なくとも１つのプロセッサは、前記複数の通信トンネルのうちの少なくとも一部分に、ＤＳＣＰ値の１つ以上の範囲を関係付けるようにさらに構成されている［１６］記載の装置。
［１８］前記少なくとも１つのプロセッサは、前記複数の通信トンネルのそれぞれに、複数のサービスデータフロー（ＳＤＦ）のうちの少なくとも１つを関係付けるようにさらに構成されている［１５］記載の装置。
［１９］前記少なくとも１つのプロセッサは、ＳＤＦフィルタとともに１つ以上のパラメータを処理することに少なくとも部分的に基づいて、前記パケットに対するＳＤＦを決定するようにさらに構成され、前記少なくとも１つのプロセッサは、前記ＳＤＦを決定することに少なくとも部分的に基づいて、前記複数の通信トンネルのうちの１つを選択する［１８］記載の装置。
［２０］前記ＳＤＦフィルタは、複数のＳＤＦフィルタパラメータを前記複数の通信トンネルに関係付け、前記少なくとも１つのプロセッサは、前記１つ以上のパラメータを前記複数のＳＤＦフィルタパラメータのうちの一部分に関係付けることにより、前記１つ以上のパラメータを処理する［１９］記載の装置。
［２１］前記複数のプロトコルヘッダのうちの少なくとも１つは、汎用パケット無線サービス（ＧＰＲＳ）トンネリングプロトコル（ＧＴＰ）ヘッダであり、前記複数のプロトコルヘッダのうちの少なくとも１つの１つ以上のパラメータは、
ダウンリンクトンネルエンドポイント識別子である［１９］記載の装置。
［２２］前記複数のプロトコルヘッダのうちの少なくとも１つは、前記パケットの最も内側のインターネットプロトコル（ＩＰ）ヘッダである［１９］記載の装置。
［２３］前記複数のプロトコルヘッダのうちの少なくとも１つの１つ以上のパラメータは、ユーザデータグラムプロトコルポート番号である［１９］記載の装置。
［２４］前記少なくとも１つのプロセッサは、インターネットプロトコル（ＩＰ）アドレスに関連する接続を通して、前記アップストリームゲートウェイから異なるパケットを取得するようにと、
前記ＩＰアドレスに少なくとも部分的に基づいて、前記複数の通信トンネルから、前記異なるパケットを送信するための異なるトンネルを選択するようにさらに構成されている［１５］記載の装置。
［２５］装置において、
ドナーエボルブドノードＢ（ｅＮＢ）と中継器ｅＮＢとの間で確立されている複数の無線ベアラに関連する、前記ドナーｅＮＢとの複数の通信トンネルを初期化する手段と、
複数のプロトコルヘッダを含み、ワイヤレスデバイスに関連するパケットを受信する手段と、
前記複数のプロトコルヘッダのうちの少なくとも１つの１つ以上のパラメータに少なくとも部分的に基づいて、前記複数の通信トンネルから、前記ドナーｅＮＢに対して前記パケットを送信するためのトンネルを決定する手段とを具備する装置。
［２６］前記複数のプロトコルヘッダのうちの少なくとも１つから、区別されたサービスコードパラメータ（ＤＳＣＰ）値を抽出する手段をさらに具備し、前記複数のプロトコルヘッダのうちの少なくとも１つの１つ以上のパラメータは、前記ＤＳＣＰ値である［２５］記載の装置。
［２７］前記トンネルは、サービスデータフロー（ＳＤＦ）である［２５］記載の装置。
［２８］前記１つ以上のパラメータから、ダウンリンクトンネルエンドポイント識別子（ＤＬ−ＴＥＩＤ）を決定する手段をさらに具備し、前記トンネルを決定する手段は、前記ＤＬ−ＴＥＩＤに少なくとも部分的に基づいて、前記ＳＤＦを決定し、前記複数のプロトコルヘッダのうちの少なくとも１つは、汎用パケット無線サービス（ＧＰＲＳ）トンネリングプロトコル（ＧＴＰ）ヘッダである［２７］記載の装置。
［２９］前記複数のプロトコルヘッダのうちの少なくとも１つは、最も内側のインターネットプロトコル（ＩＰ）ヘッダである［２７］記載の装置。
［３０］前記１つ以上のパラメータから、ユーザデータグラムプロトコル（ＵＤＰ）ポート番号を決定する手段をさらに具備し、前記トンネルを決定する手段は、前記ＵＤＰポート番号に少なくとも部分的に基づいて、前記ＳＤＦを決定する［２７］記載の装置。
［３１］前記受信する手段は、インターネットプロトコル（ＩＰ）アドレスに関連する接続を通して前記パケットを受信し、異なるＩＰアドレスに関連する異なる接続を通して異なるパケットをさらに受信し、前記トンネルを決定する手段は、前記ＩＰアドレスに少なくとも部分的に基づいて、前記トンネルを決定する［２５］記載の装置。
［３２］コンピュータプログラムプロダクトにおいて、
少なくとも１つのコンピュータに、ドナーエボルブドノードＢ（ｅＮＢ）と中継器ｅＮＢとの間の複数の無線ベアラに関連する、前記ドナーｅＮＢとの複数の通信トンネルを確立させるためのコードと、
前記少なくとも１つのコンピュータに、複数のプロトコルヘッダを含むパケットを、アップストリームゲートウェイから取得させるためのコードと、
前記少なくとも１つのコンピュータに、複数のプロトコルヘッダのうちの少なくとも１つ中の１つ以上のパラメータに少なくとも部分的に基づいて、前記パケットを受信するための、前記複数の通信トンネルのうちの１つを選択させるためのコードとを含むコンピュータ読取可能媒体を具備するコンピュータプログラムプロダクト。
［３３］前記複数のプロトコルヘッダのうちの少なくとも１つの１つ以上のパラメータは、区別されたサービスコードポイント（ＤＳＣＰ）値である［３２］記載のコンピュータプログラムプロダクト。
［３４］前記コンピュータ読取可能媒体は、前記少なくとも１つのコンピュータに、前記複数の通信トンネルのうちの少なくとも一部分に、ＤＳＣＰ値の１つ以上の範囲を関係付けさせるためのコードをさらに含む［３３］記載のコンピュータプログラムプロダクト。
［３５］前記コンピュータ読取可能媒体は、前記少なくとも１つのコンピュータに、前記複数の通信トンネルのそれぞれに、複数のサービスデータフロー（ＳＤＦ）のうちの少なくとも１つを関係付けさせるためのコードをさらに含む［３２］記載のコンピュータプログラムプロダクト。
［３６］前記コンピュータ読取可能媒体は、前記少なくとも１つのコンピュータに、ＳＤＦフィルタとともに１つ以上のパラメータを処理することに少なくとも部分的に基づいて、前記パケットに対するＳＤＦを決定させるためのコードと、前記少なくとも１つのコンピュータに、前記ＳＤＦを決定することに少なくとも部分的に基づいて、前記複数の通信トンネルのうちの１つを選択させるためのコードとをさらに含む［３５］記載のコンピュータプログラムプロダクト。
［３７］前記ＳＤＦフィルタは、複数のＳＤＦフィルタパラメータを前記複数の通信トンネルに関係付け、前記少なくとも１つのコンピュータに、前記ＳＤＦを決定させるためのコードは、前記１つ以上のパラメータを前記複数のＳＤＦフィルタパラメータのうちの一部分に関係付けることにより、前記１つ以上のパラメータを処理する［３６］記載のコンピュータプログラムプロダクト。
［３８］前記複数のプロトコルヘッダのうちの少なくとも１つは、汎用パケット無線サービス（ＧＰＲＳ）トンネリングプロトコル（ＧＴＰ）ヘッダであり、前記複数のプロトコルヘッダのうちの少なくとも１つの１つ以上のパラメータは、
ダウンリンクトンネルエンドポイント識別子である［３６］記載のコンピュータプログラムプロダクト。
［３９］前記複数のプロトコルヘッダのうちの少なくとも１つは、前記パケットの最も内側のインターネットプロトコル（ＩＰ）ヘッダである［３６］記載のコンピュータプログラムプロダクト。
［４０］前記複数のプロトコルヘッダのうちの少なくとも１つの１つ以上のパラメータは、ユーザデータグラムプロトコルポート番号である［３６］記載のコンピュータプログラムプロダクト。
［４１］前記コンピュータ読取可能媒体は、
前記少なくとも１つのコンピュータに、インターネットプロトコル（ＩＰ）アドレスに関連する接続を通して、前記アップストリームゲートウェイから異なるパケットを取得させるためのコードと、
前記少なくとも１つのコンピュータに、前記ＩＰアドレスに少なくとも部分的に基づいて、前記複数の通信トンネルから、前記異なるパケットを送信するための異なるトンネルを選択させるためのコードとをさらに含む［３２］記載のコンピュータプログラムプロダクト。
［４２］装置において、
ドナーエボルブドノードＢ（ｅＮＢ）と中継器ｅＮＢとの間で確立されている複数の無線ベアラに関連する、前記ドナーｅＮＢとの複数の通信トンネルを確立するトンネル初期化コンポーネントと、
複数のプロトコルヘッダを含み、ワイヤレスデバイスに関連するパケットを受信する通信コンポーネントと、
前記複数のプロトコルヘッダのうちの少なくとも１つの１つ以上のパラメータに少なくとも部分的に基づいて、前記複数の通信トンネルから、前記ドナーｅＮＢに対して前記パケットを送信するためのトンネルを決定するトンネル関係付けコンポーネントとを具備する装置。
［４３］前記複数のプロトコルヘッダのうちの少なくとも１つから、区別されたサービスコードパラメータ（ＤＳＣＰ）値を抽出するＩＰヘッダパラメータ決定コンポーネントをさらに具備し、前記複数のプロトコルヘッダのうちの少なくとも１つの１つ以上のパラメータは、前記ＤＳＣＰ値である［４２］記載の装置。
［４４］前記トンネルは、サービスデータフロー（ＳＤＦ）である［４２］記載の装置。
［４５］前記１つ以上のパラメータから、ダウンリンクトンネルエンドポイント識別子（ＤＬ−ＴＥＩＤ）を決定するＳＤＦフィルタリングコンポーネントをさらに具備し、前記トンネル関係付けコンポーネントは、前記ＤＬ−ＴＥＩＤに少なくとも部分的に基づいて、前記ＳＤＦを決定し、前記複数のプロトコルヘッダのうちの少なくとも１つは、汎用パケット無線サービス（ＧＰＲＳ）トンネリングプロトコル（ＧＴＰ）ヘッダである［４４］記載の装置。
［４６］前記複数のプロトコルヘッダのうちの少なくとも１つは、最も内側のインターネットプロトコル（ＩＰ）ヘッダである［４４］記載の装置。
［４７］前記１つ以上のパラメータとして、ユーザデータグラムプロトコル（ＵＤＰ）ポート番号を抽出するＵＤＰポート決定コンポーネントをさらに具備し、前記トンネル関係付けコンポーネントは、前記ＵＤＰポート番号に少なくとも部分的に基づいて、前記ＳＤＦを決定する［４４］記載の装置。
［４８］前記通信コンポーネントは、インターネットプロトコル（ＩＰ）アドレスに関連する接続を通して前記パケットを受信し、異なるＩＰアドレスに関連する異なる接続を通して異なるパケットをさらに受信し、前記トンネル関係付けコンポーネントは、前記ＩＰアドレスに少なくとも部分的に基づいて、前記トンネルを決定する［４２］記載の装置。
［４９］方法において、
コアワイヤレスネットワークコンポーネントから、１つ以上のサービスデータフロー（ＳＤＦ）フィルタパラメータを受信することと、
ワイヤレスデバイスに関係付けられている複数の無線ベアラのうちの１つを通して、前記ワイヤレスデバイスからアップリンクパケットを取得することと、
前記１つ以上のＳＤＦフィルタパラメータに少なくとも部分的に基づいて、前記アップリンクパケットを送信するアップストリームエボルブドノードＢ（ｅＮＢ）と確立されている複数の異なる無線ベアラのうちの１つを選択することとを含む方法。
［５０］前記１つ以上のＳＤＦフィルタパラメータを受信することは、ｎが正の整数である、前記ワイヤレスデバイスに関連するｎ−タプルと、前記ｎ−タプルを含むダウンリンクパケットを前記アップストリームｅＮＢに対して送信するために、前記コアワイヤレスネットワークコンポーネントにより利用されるトンネルとを受信することを含む［４９］記載の方法。
［５１］前記ｎ−タプルは、前記ワイヤレスデバイスに関連するダウンリンクトンネルエンドポイント識別子を含む６−タプルである［５０］記載の方法。
［５２］前記複数の異なる無線ベアラのうちの１つを選択することは、前記トンネルに対応する、前記アップストリームｅＮＢとの無線ベアラを選択することを含む［５０］記載の方法。
［５３］前記１つ以上のＳＤＦフィルタパラメータを受信することは、前記ワイヤレスデバイスに関連する１つ以上のパラメータと、前記アップストリームｅＮＢに対して前記アップリンクパケットを送信するためのユーザデータグラムプロトコル（ＵＤＰ）ポート番号とを受信することを含む［４９］記載の方法。
［５４］前記複数の異なる無線ベアラのうちの１つを選択することは、前記アップリンクパケットに対するヘッダ中に前記ＵＤＰポート番号を挿入することを含む［５３］記載の方法。
［５５］ワイヤレス通信装置において、
アップストリームネットワークコンポーネントから、１つ以上のサービスデータフロー（ＳＤＦ）フィルタパラメータを取得するようにと、
ワイヤレスデバイスと確立されている無線ベアラを通して、前記ワイヤレスデバイスからアップリンクパケットを受信するようにと、
前記１つ以上のＳＤＦフィルタパラメータに少なくとも部分的に基づいて、前記アップリンクパケットを送信するアップストリームエボルブドノードＢ（ｅＮＢ）と確立されている異なる無線ベアラを決定するように構成されている少なくとも１つのプロセッサと、
前記少なくとも１つのプロセッサに結合されているメモリとを具備するワイヤレス通信装置。
［５６］前記１つ以上のＳＤＦフィルタパラメータは、ｎが正の整数である、前記ワイヤレスデバイスに関連するｎ−タプルとともに、前記ｎ−タプルを含むダウンリンクパケットを前記アップストリームｅＮＢに対して送信するために、前記アップストリームネットワークコンポーネントにより利用されるトンネルに関連する１つ以上のヘッダパラメータとを含み、前記少なくとも１つのプロセッサは、前記１つ以上のヘッダパラメータに少なくとも部分的に基づいて、前記異なる無線ベアラを決定する［５５］記載のワイヤレス通信装置。
［５７］前記ｎ−タプルは、前記ワイヤレスデバイスに関連するダウンリンクトンネルエンドポイント識別子を含む６−タプルである［５６］記載のワイヤレス通信装置。
［５８］前記１つ以上のＳＤＦフィルタパラメータは、前記ワイヤレスデバイスに関連する１つ以上のパラメータと、前記アップストリームｅＮＢに対して前記アップリンクパケットを送信するためのユーザデータグラムプロトコル（ＵＤＰ）ポート番号とを含む［５５］記載のワイヤレス通信装置。
［５９］前記少なくとも１つのプロセッサは、少なくとも部分的に、前記アップリンクパケットのヘッダ中で前記ＵＤＰポート番号を指定することにより、前記異なる無線ベアラを通して前記アップリンクパケットを送信するようにさらに構成されている［５８］記載のワイヤレス通信装置。
［６０］装置において、
１つ以上のサービスデータフロー（ＳＤＦ）フィルタパラメータを受信する手段と、
ワイヤレスデバイスからアップリンクパケットを受信する手段と、
前記１つ以上のＳＤＦフィルタパラメータに少なくとも部分的に基づいて、前記アップリンクパケットを送信するアップストリームエボルブドノードＢ（ｅＮＢ）と確立されている無線ベアラを決定する手段とを具備する装置。
［６１］前記無線ベアラを決定する手段は、前記アップリンクパケットのヘッダ中の１つ以上のパラメータにさらに少なくとも部分的に基づいて、前記無線ベアラを決定する［６０］記載の装置。
［６２］前記１つ以上のＳＤＦフィルタパラメータは、ｎが正の整数であるｎ−タプルと、前記アップストリームｅＮＢに対してダウンリンクパケットを送信するためにネットワークコンポーネントにより利用されるトンネルに関連する１つ以上のパラメータとを含む［６０］記載の装置。
［６３］前記１つ以上のＳＤＦフィルタパラメータは、前記アップストリームｅＮＢに対して前記アップリンクパケットを送信するためのユーザデータグラムプロトコルポート番号を含む［６０］記載の装置。
［６４］コンピュータプログラムプロダクトにおいて、
少なくとも１つのコンピュータに、アップストリームネットワークコンポーネントから、１つ以上のサービスデータフロー（ＳＤＦ）フィルタパラメータを取得させるためのコードと、
前記少なくとも１つのコンピュータに、ワイヤレスデバイスと確立されている無線ベアラを通して、前記ワイヤレスデバイスからアップリンクパケットを受信させるためのコードと、
前記少なくとも１つのコンピュータに、前記１つ以上のＳＤＦフィルタパラメータに少なくとも部分的に基づいて、前記アップリンクパケットを送信するアップストリームエボルブドノードＢ（ｅＮＢ）と確立されている異なる無線ベアラを決定させるためのコードとを含むコンピュータ読取可能媒体を具備するコンピュータプログラムプロダクト。
［６５］前記１つ以上のＳＤＦフィルタパラメータは、ｎが正の整数である、前記ワイヤレスデバイスに関連するｎ−タプルとともに、前記ｎ−タプルを含むダウンリンクパケットを前記アップストリームｅＮＢに対して送信するために、前記アップストリームネットワークコンポーネントにより利用されるトンネルに関連する１つ以上のヘッダパラメータとを含み、前記少なくとも１つのコンピュータに、前記異なる無線ベアラを決定させるためのコードは、前記１つ以上のヘッダパラメータに少なくとも部分的に基づいて、前記異なる無線ベアラを決定する［６４］記載のコンピュータプログラムプロダクト。
［６６］前記ｎ−タプルは、前記ワイヤレスデバイスに関連するダウンリンクトンネルエンドポイント識別子を含む６−タプルである［６５］記載のコンピュータプログラムプロダクト。
［６７］前記１つ以上のＳＤＦフィルタパラメータは、前記ワイヤレスデバイスに関連する１つ以上のパラメータと、前記アップストリームｅＮＢに対して前記アップリンクパケットを送信するためのユーザデータグラムプロトコル（ＵＤＰ）ポート番号とを含む［６４］記載のコンピュータプログラムプロダクト。
［６８］前記コンピュータ読取可能媒体は、前記少なくとも１つのコンピュータに、少なくとも部分的に、前記アップリンクパケットのヘッダ中の前記ＵＤＰポート番号を指定することにより、前記異なる無線ベアラを通して前記アップリンクパケットを送信させるためのコードをさらに含む［６７］記載のコンピュータプログラムプロダクト。
［６９］装置において、
ネットワークコンポーネントから、１つ以上のサービスデータフロー（ＳＤＦ）フィルタパラメータを取得するＳＤＦフィルタパラメータ受信コンポーネントと、
ワイヤレスデバイスからアップリンクパケットを受信する通信コンポーネントと、
前記１つ以上のＳＤＦフィルタパラメータに少なくとも部分的に基づいて、前記アップリンクパケットを送信するための、アップストリームエボルブドノードＢ（ｅＮＢ）と確立されている無線ベアラを決定するＳＤＦフィルタリングコンポーネントとを具備する装置。
［７０］前記ＳＤＦフィルタリングコンポーネントは、前記アップリンクパケットのヘッダ中の１つ以上のパラメータにさらに少なくとも部分的に基づいて、前記無線ベアラを決定する［６９］記載の装置。
［７１］前記１つ以上のＳＤＦフィルタパラメータは、ｎが正の整数であるｎ−タプルと、前記アップストリームｅＮＢに対してダウンリンクパケットを送信するためにネットワークコンポーネントにより利用されるトンネルに関連する１つ以上のパラメータとを含む［６９］記載の装置。
［７２］前記１つ以上のＳＤＦフィルタパラメータは、前記アップストリームｅＮＢに対して前記アップリンクパケットを送信するためのユーザデータグラムプロトコルポート番号を含む［６９］記載の装置。
【図１】
0005536195.tif 000009
【図２】
0005536195.tif 000010
【図３】
0005536195.tif 000011
【図４】
0005536195.tif 000012
【図５】
0005536195.tif 000013
【図６】
0005536195.tif 000014
【図７】
0005536195.tif 000015
【図８】
0005536195.tif 000016
【図９】
0005536195.tif 000017
【図１０】
0005536195.tif 000018
【図１１】
0005536195.tif 000019
【図１２】
0005536195.tif 000020
【図１３】
0005536195.tif 000021
【図１４】
0005536195.tif 000022
【図１５】
0005536195.tif 000023
【図１６】
0005536195.tif 000024
【図１７】
0005536195.tif 000025
【図１８】
0005536195.tif 000026
【図１９】
0005536195.tif 000027